(57)【要約】本開示のある特定の態様は、通信システムに関し、より詳細には、新無線（ＮＲ）技術に従って動作する通信システムにおいて、シングルキャリア波形を使用して物理ダウンリンク制御チャネルを送信するための制御リソースセット（ｃｏｒｅｓｅｔ）に関する。例示的な方法では、基地局が、ユーザ機器（ＵＥ）に物理ダウンリンク制御チャネル（ＰＤＣＣＨ）を送信するために、システム帯域幅の制御領域内で、時間および周波数リソースの第１の制御リソースセット（ｃｏｒｅｓｅｔ）を決定し、時間および周波数リソースの第１のｃｏｒｅｓｅｔを介して、シングルキャリア波形として、ＵＥにＰＤＣＣＨを送信し得る。【選択図】図９
2020516159.tif 000002
【特許請求の範囲】
【請求項１】
基地局（ＢＳ）によるワイヤレス通信のための方法であって、
ユーザ機器（ＵＥ）に物理ダウンリンク制御チャネル（ＰＤＣＣＨ）を送信するために、システム帯域幅の制御領域内で、時間および周波数リソースの第１の制御リソースセット（ｃｏｒｅｓｅｔ）を決定することと、
時間および周波数リソースの前記第１のｃｏｒｅｓｅｔを介して、シングルキャリア波形として、前記ＵＥに前記ＰＤＣＣＨを送信することと
を備える方法。
【請求項２】
前記システム帯域幅内で、複数のｃｏｒｅｓｅｔを構成すること、ここにおいて、前記第１のｃｏｒｅｓｅｔは、前記複数のｃｏｒｅｓｅｔのうちの１つである、
をさらに備える、請求項１に記載の方法。
【請求項３】
マスタ情報ブロック（ＭＩＢ）または無線リソース制御（ＲＲＣ）構成のうちの少なくとも１つにおいて、前記第１のｃｏｒｅｓｅｔのリソースのインジケーションを送信すること
をさらに備える、請求項１に記載の方法。
【請求項４】
異なるＵＥの探索空間が、時間および周波数リソースの前記第１のｃｏｒｅｓｅｔを共有し、
前記ＵＥに関連付けられかつ前記第１のｃｏｒｅｓｅｔ内の第１の探索空間が、前記ＵＥの識別子のハッシング関数に基づいて定義され、
前記ＵＥに前記ＰＤＣＣＨを送信することは、前記第１の探索空間において前記ＰＤＣＣＨを送信することを備える、
請求項１に記載の方法。
【請求項５】
前記ＰＤＣＣＨに関連付けられた復調基準信号（ＤＭＲＳ）を送信すること
をさらに備える、請求項１に記載の方法。
【請求項６】
前記ＤＭＲＳを送信することは、前記制御領域の第１のシンボル期間内で、前記ＤＭＲＳを送信することを備え、
前記ＰＤＣＣＨを送信することは、前記制御領域の第２のシンボル期間において、前記ＰＤＣＣＨのデータを送信することを備える、
請求項５に記載の方法。
【請求項７】
前記ＤＭＲＳを送信することは、前記第１のｃｏｒｅｓｅｔの帯域幅に及ぶ帯域幅を使用して、前記ＤＭＲＳを送信することを備える、
請求項５に記載の方法。
【請求項８】
前記ＰＤＣＣＨの前記データを送信することは、前記ＵＥおよび０個以上の他のＵＥに、少なくとも１つのダウンリンク制御情報（ＤＣＩ）を送信することを備え、
前記少なくとも１つのＤＣＩを送信することは、１つまたは複数の制御チャネルエレメント（ＣＣＥ）の各ＣＣＥの各リソースエレメントグループ（ＲＥＧ）の各リソースエレメント（ＲＥ）について、前記制御領域の前記第２のシンボル期間の１つの時間領域サンプルにおいて送信することを備え、ここにおいて、
各ＤＣＩは、１つまたは複数のＣＣＥを介して伝達され、
各ＣＣＥは、固定数のＲＥＧを備え、
各ＲＥＧは、固定数のＲＥを備える、
請求項６に記載の方法。
【請求項９】
ユーザ機器（ＵＥ）によるワイヤレス通信のための方法であって、
基地局（ＢＳ）から物理ダウンリンク制御チャネル（ＰＤＣＣＨ）を受信するために、システム帯域幅の制御領域内で、時間および周波数リソースの第１の制御リソースセット（ｃｏｒｅｓｅｔ）を決定することと、
時間および周波数リソースの前記第１のｃｏｒｅｓｅｔを介して、シングルキャリア波形として前記ＰＤＣＣＨを受信することと
を備える方法。
【請求項１０】
前記第１のｃｏｒｅｓｅｔを決定することは、前記システム帯域幅内で構成された複数のｃｏｒｅｓｅｔから前記第１のｃｏｒｅｓｅｔを決定することを備える、請求項９に記載の方法。
【請求項１１】
前記第１のｃｏｒｅｓｅｔの前記リソースを決定することは、マスタ情報ブロック（ＭＩＢ）または無線リソース制御（ＲＲＣ）構成のうちの少なくとも１つに基づく、
請求項９に記載の方法。
【請求項１２】
異なるＵＥの探索空間が、時間および周波数リソースの前記第１のｃｏｒｅｓｅｔを共有し、
前記ＵＥに関連付けられかつ前記第１のｃｏｒｅｓｅｔ内の第１の探索空間が、前記ＵＥの識別子のハッシング関数に基づいて定義され、
前記ＰＤＣＣＨを受信することは、前記第１の探索空間において前記ＰＤＣＣＨを受信することを備える、
請求項９に記載の方法。
【請求項１３】
前記ＰＤＣＣＨに関連付けられた復調基準信号（ＤＭＲＳ）を処理すること、ここにおいて、前記ＰＤＣＣＨを受信することは、前記処理されたＤＭＲＳに基づいて前記ＰＤＣＣＨを受信することを備える、
をさらに備える、請求項９に記載の方法。
【請求項１４】
前記ＤＭＲＳを処理することは、前記制御領域の第１のシンボル期間内で、前記ＤＭＲＳを受信することを備え、
前記ＰＤＣＣＨを受信することは、前記制御領域の第２のシンボル期間において、前記ＰＤＣＣＨのデータを受信することを備える、
請求項１３に記載の方法。
【請求項１５】
前記ＤＭＲＳを処理することは、前記第１のｃｏｒｅｓｅｔの帯域幅に及ぶ帯域幅を使用して、前記ＤＭＲＳを受信することを備える、
請求項１３に記載の方法。
【請求項１６】
前記ＰＤＣＣＨの前記データを受信することは、前記ＵＥへの少なくとも１つのダウンリンク制御情報（ＤＣＩ）を受信することを備え、
前記少なくとも１つのＤＣＩを受信することは、１つまたは複数の制御チャネルエレメント（ＣＣＥ）の各ＣＣＥの各リソースエレメントグループ（ＲＥＧ）の各リソースエレメント（ＲＥ）について、前記制御領域の前記第２のシンボル期間の１つの時間領域サンプルにおいて受信することを備え、ここにおいて、
各ＤＣＩは、１つまたは複数のＣＣＥを介して伝達され、
各ＣＣＥは、固定数のＲＥＧを備え、
各ＲＥＧは、固定数のＲＥを備える、
請求項１４に記載の方法。
【請求項１７】
ワイヤレス通信のための装置であって、
ユーザ機器（ＵＥ）に物理ダウンリンク制御チャネル（ＰＤＣＣＨ）を送信するために、システム帯域幅の制御領域内で、時間および周波数リソースの第１の制御リソースセット（ｃｏｒｅｓｅｔ）を決定することと、
前記装置に、時間および周波数リソースの前記第１のｃｏｒｅｓｅｔを介して、シングルキャリア波形として、前記ＵＥへ前記ＰＤＣＣＨを送信させることと
をするように構成されたプロセッサと、
前記プロセッサと結合されたメモリと
を備える、装置。
【請求項１８】
前記プロセッサは、
前記システム帯域幅内で、複数のｃｏｒｅｓｅｔを構成すること、ここにおいて、前記第１のｃｏｒｅｓｅｔは、前記複数のｃｏｒｅｓｅｔのうちの１つである、
を行うようにさらに構成される、請求項１７に記載の装置。
【請求項１９】
前記プロセッサは、
前記装置に、マスタ情報ブロック（ＭＩＢ）または無線リソース制御（ＲＲＣ）構成のうちの少なくとも１つにおいて、前記第１のｃｏｒｅｓｅｔのリソースのインジケーションを送信させること
を行うようにさらに構成される、請求項１７に記載の装置。
【請求項２０】
異なるＵＥの探索空間が、時間および周波数リソースの前記第１のｃｏｒｅｓｅｔを共有し、
前記ＵＥに関連付けられかつ前記第１のｃｏｒｅｓｅｔ内の第１の探索空間が、前記ＵＥの識別子のハッシング関数に基づいて定義され、
前記プロセッサは、前記装置に、前記第１の探索空間において前記ＰＤＣＣＨを送信させることによって、前記装置に、前記ＵＥへ前記ＰＤＣＣＨを送信させるように構成される、
請求項１７に記載の装置。
【請求項２１】
前記プロセッサは、
前記装置に、前記ＰＤＣＣＨに関連付けられた復調基準信号（ＤＭＲＳ）を送信させること
を行うようにさらに構成される、請求項１７に記載の装置。
【請求項２２】
前記プロセッサは、
前記装置に、前記制御領域の第１のシンボル期間内で、前記ＤＭＲＳを送信させることによって、前記装置に、前記ＤＭＲＳを送信させることと、
前記装置に、前記制御領域の第２のシンボル期間において、前記ＰＤＣＣＨのデータを送信させることによって、前記装置に、前記ＰＤＣＣＨを送信させることと
をするように構成される、請求項２１に記載の装置。
【請求項２３】
前記プロセッサは、
前記装置に、前記第１のｃｏｒｅｓｅｔの帯域幅に及ぶ帯域幅を使用して、前記ＤＭＲＳを送信させることによって、前記装置に、前記ＤＭＲＳを送信させること
をするように構成される、請求項２１に記載の装置。
【請求項２４】
前記プロセッサは、前記装置に、前記ＵＥおよび０個以上の他のＵＥへ、少なくとも１つのダウンリンク制御情報（ＤＣＩ）を送信させることによって、前記装置に、前記ＰＤＣＣＨの前記データを送信させるように構成され、
前記プロセッサは、前記装置に、１つまたは複数の制御チャネルエレメント（ＣＣＥ）の各ＣＣＥの各リソースエレメントグループ（ＲＥＧ）の各リソースエレメント（ＲＥ）について、前記制御領域の前記第２のシンボル期間の１つの時間領域サンプルにおいて送信させることによって、前記装置に、前記少なくとも１つのＤＣＩを送信させるように構成され、ここにおいて、
各ＤＣＩは、１つまたは複数のＣＣＥを介して伝達され、
各ＣＣＥは、固定数のＲＥＧを備え、
各ＲＥＧは、固定数のＲＥを備える、
請求項２２に記載の装置。
【請求項２５】
ワイヤレス通信のための装置であって、
基地局（ＢＳ）から物理ダウンリンク制御チャネル（ＰＤＣＣＨ）を受信するために、システム帯域幅の制御領域内で、時間および周波数リソースの第１の制御リソースセット（ｃｏｒｅｓｅｔ）を決定することと、
前記装置に、時間および周波数リソースの前記第１のｃｏｒｅｓｅｔを介して、シングルキャリア波形として前記ＰＤＣＣＨを受信させることと
をするように構成されたプロセッサと、
前記プロセッサと結合されたメモリと
を備える、装置。
【請求項２６】
前記プロセッサは、前記システム帯域幅内で構成された複数のｃｏｒｅｓｅｔから前記第１のｃｏｒｅｓｅｔを決定することによって、前記第１のｃｏｒｅｓｅｔを決定するように構成される、請求項２５に記載の装置。
【請求項２７】
前記プロセッサは、前記装置に、マスタ情報ブロック（ＭＩＢ）または無線リソース制御（ＲＲＣ）構成のうちの少なくとも１つを受信させるように構成され、
前記プロセッサは、前記少なくとも１つのＭＩＢまたはＲＲＣ構成に基づいて、前記第１のｃｏｒｅｓｅｔの前記リソースを決定するように構成される、
請求項２５に記載の装置。
【請求項２８】
異なるＵＥの探索空間が、時間および周波数リソースの前記第１のｃｏｒｅｓｅｔを共有し、
前記装置に関連付けられかつ前記第１のｃｏｒｅｓｅｔ内の第１の探索空間が、前記装置の識別子のハッシング関数に基づいて定義され、
前記プロセッサは、前記装置に、前記第１の探索空間において前記ＰＤＣＣＨを受信させることによって、前記装置に、前記ＰＤＣＣＨを受信させるように構成される、
請求項２５に記載の装置。
【請求項２９】
前記プロセッサは、
前記ＰＤＣＣＨに関連付けられた復調基準信号（ＤＭＲＳ）を処理すること、ここにおいて、前記装置に、前記ＰＤＣＣＨを受信させることは、前記装置に、前記処理されたＤＭＲＳに基づいて前記ＰＤＣＣＨを受信させることを備える、
を行うようにさらに構成される、請求項２５に記載の装置。
【請求項３０】
前記プロセッサは、
前記装置に、前記制御領域の第１のシンボル期間内で、前記ＤＭＲＳを受信させることによって、前記ＤＭＲＳを処理することと、
前記装置に、前記制御領域の第２のシンボル期間において、前記ＰＤＣＣＨのデータを受信させることによって、前記装置に、前記ＰＤＣＣＨを受信させることと
をするように構成される、請求項２９に記載の装置。
【請求項３１】
前記プロセッサは、
前記装置に、前記第１のｃｏｒｅｓｅｔの帯域幅に及ぶ帯域幅を使用して、前記ＤＭＲＳを受信させることによって、前記ＤＭＲＳを処理すること
をするように構成される、請求項２９に記載の装置。
【請求項３２】
前記プロセッサは、
前記装置に、前記装置への少なくとも１つのダウンリンク制御情報（ＤＣＩ）を受信させることによって、前記装置に、前記ＰＤＣＣＨの前記データを受信させることと、
前記装置に、１つまたは複数の制御チャネルエレメント（ＣＣＥ）の各ＣＣＥの各リソースエレメントグループ（ＲＥＧ）の各リソースエレメント（ＲＥ）について、前記制御領域の前記第２のシンボル期間の１つの時間領域サンプルにおいて受信させることによって、前記装置に、前記少なくとも１つのＤＣＩを受信させることと、ここにおいて、
各ＤＣＩは、１つまたは複数のＣＣＥを介して伝達され、
各ＣＣＥは、固定数のＲＥＧを備え、
各ＲＥＧは、固定数のＲＥを備える、
をするように構成される、請求項３０に記載の装置。
【発明の詳細な説明】
【関連出願の相互参照】
【０００１】
[0001]  
本願は、２０１７年３月３０日に出願された、米国特許仮出願第６２／４７９，０５５号の優先権を主張する、２０１８年３月２日に出願された、米国特許出願第１５／９１０，６１５号の優先権を主張し、これらの両方が、本願の譲受人に譲渡され、その全体がここでの参照により本明細書に明確に組み込まれている。
【技術分野】
【０００２】
[0002]  本開示は、一般に通信システムに関し、より詳細には、新無線（ＮＲ）技術に従って動作する通信システムにおいて、シングルキャリア波形を使用して物理ダウンリンク制御チャネルを送信するための制御リソースセット（ｃｏｒｅｓｅｔ：control resource set）に関する。
【背景技術】
【０００３】
[0003]  ワイヤレス通信システムは、電話通信、ビデオ、データ、メッセージング、およびブロードキャストなどの様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を用い得る。このような多元接続技術の例は、ロングタームエボリューション（ＬＴＥ（登録商標））システム、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  いくつかの例では、ワイヤレス多元接続通信システムが、いくつかの基地局を含み得、各々が、別名ユーザ機器（ＵＥ）として知られている複数の通信デバイスのための通信を同時にサポートする。ＬＴＥまたはＬＴＥ−Ａネットワークでは、１つまたは複数の基地局のセットが、ｅノードＢ（ｅＮＢ）を定義し得る。他の例では（例えば、次世代または５Ｇネットワークでは）、ワイヤレス多元接続通信システムは、いくつかの集約ユニット（ＣＵ：central units）（例えば、集約ノード（ＣＮ）、アクセスノードコントローラ（ＡＮＣ）、等）と通信状態にある、いくつかの分散ユニット（ＤＵ：distributed units）（例えば、エッジユニット（ＥＵ）、エッジノード（ＥＮ）、無線ヘッド（ＲＨ：radio heads）、スマート無線ヘッド（ＳＲＨ：smart radio heads）、送受信ポイント（ＴＲＰ）、等）を含み得、ここで、集約ユニットと通信状態にある１つまたは複数の分散ユニットのセットが、アクセスノード（例えば、新無線基地局（ＮＲ  ＢＳ）、新無線ノードＢ（ＮＲ  ＮＢ）、ネットワークノード、５Ｇ  ＮＢ、ｅＮＢ、等）を定義し得る。基地局またはＤＵは、（例えば、基地局から、またはＵＥへの送信のための）ダウンリンクチャネルおよび（例えば、ＵＥから基地局または分散ユニットへの送信のための）アップリンクチャネル上で、複数のＵＥのセットと通信し得る。
【０００５】
[0005]  これら多元接続技術は、異なるワイヤレスデバイスが都市、国家、地域、さらには地球レベルで通信することを可能にする共通プロトコルを提供するために、様々な電気通信規格において採用されてきた。新興の電気通信規格の一例が、新無線（ＮＲ）、例えば、５Ｇ無線アクセスである。ＮＲは、第３世代パートナーシッププロジェクト（３ＧＰＰ（登録商標））によって公表されたＬＴＥモバイル規格への拡張セットである。それは、スペクトル効率を改善すること、コストを下げること、サービスを改善すること、新しいスペクトルを利用すること、およびダウンリンク（ＤＬ）上とアップリンク（ＵＬ）上でサイクリックプレフィックス（ＣＰ）を用いるＯＦＤＭＡを使用して他のオープン規格とより良好に統合することによって、モバイルブロードバンドインターネットアクセスをより良くサポートし、並びにビームフォーミング、多入力多出力（ＭＩＭＯ）アンテナ技術、およびキャリアアグリゲーションをサポートするように設計されている。
【０００６】
[0006]  しかしながら、モバイルブロードバンドアクセスに対する需要が増大し続けるにつれて、ＮＲ技術におけるさらなる改善が必要とされる。好ましくは、これらの改善は、他の多重アクセス（multi-access）技術、およびこれらの技術を採用する電気通信規格に適用可能であるべきである。
【発明の概要】
【０００７】
[0007]  本開示のシステム、方法、およびデバイスは、いくつかの態様をそれぞれ有し、それらのうちの何れも、その望ましい属性を単独で担うものではない。以下に続く特許請求の範囲によって示される本開示の範囲を限定することなく、ここでいくつかの特徴が簡潔に説明される。この説明を考慮した後、また、特に「詳細な説明」と題するセクションを読んだ後、当業者であれば、本開示の特徴が、ワイヤレスネットワークにおけるアクセスポイントと局との間の改善された通信を含む利点をどのようにもたらすかが理解されよう。
【０００８】
[0008]  本開示のある特定の態様は、一般に、シングルキャリア波形を使用して送信するシステムのための制御リソースセット（ｃｏｒｅｓｅｔ）に関する。１つまたは複数のｃｏｒｅｓｅｔは、より広いシステム帯域幅において定義され、１つまたは複数のユーザ機器（ＵＥ）に物理ダウンリンク制御チャネル（ＰＤＣＣＨ）を送信するために使用され得る。
【０００９】
[0009]  ある特定の態様は、基地局（ＢＳ）によるワイヤレス通信のための方法を提供する。方法は、一般に、ユーザ機器（ＵＥ）に物理ダウンリンク制御チャネル（ＰＤＣＣＨ）を送信するために、システム帯域幅の制御領域内で、時間および周波数リソースの第１の制御リソースセット（ｃｏｒｅｓｅｔ）を決定することと、時間および周波数リソースの第１のｃｏｒｅｓｅｔを介して、シングルキャリア波形として、ＵＥにＰＤＣＣＨを送信することとを含む。
【００１０】
[0010]  ある特定の態様は、ユーザ機器（ＵＥ）によるワイヤレス通信のための方法を提供する。方法は、一般に、基地局（ＢＳ）から物理ダウンリンク制御チャネル（ＰＤＣＣＨ）を受信するために、システム帯域幅の制御領域内で、時間および周波数リソースの第１の制御リソースセット（ｃｏｒｅｓｅｔ）を決定することと、時間および周波数リソースの第１のｃｏｒｅｓｅｔを介して、シングルキャリア波形としてＰＤＣＣＨを受信することとを含む。
【００１１】
[0011]  ある特定の態様は、ワイヤレス通信のための装置を提供する。装置は、一般に、ユーザ機器（ＵＥ）に物理ダウンリンク制御チャネル（ＰＤＣＣＨ）を送信するために、システム帯域幅の制御領域内で、時間および周波数リソースの第１の制御リソースセット（ｃｏｒｅｓｅｔ）を決定することと、装置に、時間および周波数リソースの第１のｃｏｒｅｓｅｔを介して、シングルキャリア波形として、ＵＥへＰＤＣＣＨを送信させることとをするように構成されたプロセッサと、プロセッサと結合されたメモリとを含む。
【００１２】
[0012]  ある特定の態様は、ワイヤレス通信のための装置を提供する。装置は、一般に、基地局（ＢＳ）から物理ダウンリンク制御チャネル（ＰＤＣＣＨ）を受信するために、システム帯域幅の制御領域内で、時間および周波数リソースの第１の制御リソースセット（ｃｏｒｅｓｅｔ）を決定することと、装置に、時間および周波数リソースの第１のｃｏｒｅｓｅｔを介して、シングルキャリア波形としてＰＤＣＣＨを受信させることとをするように構成されたプロセッサと、プロセッサと結合されたメモリとを含む。
【００１３】
[0013]  ある特定の態様は、ワイヤレス通信のための装置を提供する。装置は、一般に、ユーザ機器（ＵＥ）に物理ダウンリンク制御チャネル（ＰＤＣＣＨ）を送信するために、システム帯域幅の制御領域内で、時間および周波数リソースの第１の制御リソースセット（ｃｏｒｅｓｅｔ）を決定するための手段と、時間および周波数リソースの第１のｃｏｒｅｓｅｔを介して、シングルキャリア波形として、ＵＥにＰＤＣＣＨを送信するための手段とを含む。
【００１４】
[0014]  ある特定の態様は、ワイヤレス通信のための装置を提供する。装置は、一般に、基地局（ＢＳ）から物理ダウンリンク制御チャネル（ＰＤＣＣＨ）を受信するために、システム帯域幅の制御領域内で、時間および周波数リソースの第１の制御リソースセット（ｃｏｒｅｓｅｔ）を決定するための手段と、時間および周波数リソースの第１のｃｏｒｅｓｅｔを介して、シングルキャリア波形としてＰＤＣＣＨを受信するための手段とを含む。
【００１５】
[0015]  ある特定の態様は、ワイヤレス通信のためのコンピュータ可読媒体を提供する。コンピュータ可読媒体は、複数の命令を含み、これら命令は、処理システムによって実行されると、処理システムに、通常、ユーザ機器（ＵＥ）に物理ダウンリンク制御チャネル（ＰＤＣＣＨ）を送信するために、システム帯域幅の制御領域内で、時間および周波数リソースの第１の制御リソースセット（ｃｏｒｅｓｅｔ）を決定することと、時間および周波数リソースの第１のｃｏｒｅｓｅｔを介して、シングルキャリア波形として、ＵＥにＰＤＣＣＨを送信することとを含む動作を行わせる。
【００１６】
[0016]  ある特定の態様は、ワイヤレス通信のためのコンピュータ可読媒体を提供する。コンピュータ可読媒体は複数の命令を含み、これら命令は、処理システムによって実行されると、処理システムに、一般に、基地局（ＢＳ）から物理ダウンリンク制御チャネル（ＰＤＣＣＨ）を受信するために、システム帯域幅の制御領域内で、時間および周波数リソースの第１の制御リソースセット（ｃｏｒｅｓｅｔ）を決定することと、時間および周波数リソースの第１のｃｏｒｅｓｅｔを介して、シングルキャリア波形としてＰＤＣＣＨを受信することとを含む動作を行わせる。
【００１７】
[0017]  態様は、一般に、添付の図面によって例示されるとともに、それらを参照して本明細書で実質的に説明されるような、方法、装置、システム、コンピュータ可読媒体、および処理システムを含む。
【００１８】
[0018]  前述され関連する目的の達成のために、１つまたは複数の態様が、以下で十分に説明されかつ特許請求の範囲において特に指摘される特徴を備える。以下の説明および添付の図面は、１つまたは複数の態様のある特定の例示的な特徴を詳細に示す。しかしながら、これらの特徴は、様々な態様の原理が用いられ得る様々な方法のうちのごく一部を示すものであり、本説明は、全てのこのような態様およびそれらの均等物を含むように意図される。
【図面の簡単な説明】
【００１９】
[0019]  本開示の上記特徴が詳細に理解され得るように、上で簡潔に概要を述べたもののより別段の説明が、添付の図面にいくつか例示される態様への参照によって得られる。しかしながら、添付の図面は、本開示のある特定の典型的な態様のみを例示しており、従って、その範囲を限定するものと見なされるべきではないことに留意されたい。というのも、この説明は、他の同様に有効な態様にも当てはまり得るからである。
【図１】本開示のある特定の態様による、例となる電気通信システムを概念的に例示するブロック図である。
【図２】本開示のある特定の態様による、分散型ＲＡＮの例となる論理アーキテクチャを例示するブロック図である。
【図３】本開示のある特定の態様による、分散型ＲＡＮの例となる物理アーキテクチャを例示する図である。
【図４】本開示のある特定の態様による、例となるＢＳおよびユーザ機器（ＵＥ）の設計を概念的に例示するブロック図である。
【図５】本開示のある特定の態様による、通信プロトコルスタックを実施するための例を示す図である。
【図６】本開示のある特定の態様による、ＤＬセントリックサブフレーム（DL-centric subframe）の例を例示する。
【図７】本開示のある特定の態様による、ＵＬセントリックサブフレーム（UL-centric subframe）の例を例示する。
【図８】本開示のある特定の態様による、ワイヤレス通信のための例となる動作を例示する。
【図９】本開示の態様による、ワイヤレス通信のための例となる動作である。
【図１０】本開示のある特定の態様による、周波数における異なる波形を使用してＳＲＳを多重化するための技法を例示する。
【図１１】本開示のある特定の態様による、例示的な時間周波数リソースマッピングを例示する。
【図１２】本開示のある特定の態様による、復号候補に対する制御チャネルエレメント（ＣＣＥ）の例示的なマッピングを例示する。
【００２０】
[0032]  理解を容易にするために、可能な場合、図面に共通する同一の要素を指すために、同一の参照番号が使用されている。一態様において開示される要素は、具体的な記載がなくとも、他の態様に対して有益に利用され得ることが企図される。
【詳細な説明】
【００２１】
[0033]  ミリメートル波（ｍｍＷ）新無線（ＮＲ）（例えば、５Ｇ）規格に従って動作する通信システムでは、ＯＦＤＭＡ波形に加えて、シングルキャリア波形が、ＤＬリンクバジェットを拡張するために、デバイスによって使用され得る。すなわち、シングルキャリア波形の使用は、受信デバイスにおいて、受信されたダウンリンク信号の電力レベルを改善し得る。シングルキャリア波形は、信号のより低いピーク対平均電力比（ＰＡＰＲ）を可能にし得、これは、送信チェーンの電力増幅器（ＰＡ）が、より高い送信電力レベルを使用することを可能にし得る。離散フーリエ変換シングルキャリア周波数領域多元接続（ＤＦＴ−Ｓ−ＦＤＭＡ：Discrete Fourier transform single carrier frequency domain multiple access）は、ダウンリンク信号のために使用され得るシングルキャリア波形の１つのタイプである。
【００２２】
[0034]  ＮＲは、広帯域幅（例えば、８０ＭＨｚ以上）を対象とした拡張型モバイルブロードバンド（ｅＭＢＢ）、高いキャリア周波数（例えば、２７ＧＨｚ以上）を対象としたミリメートル波（ｍｍＷ）、後方互換性のないマシンタイプ通信（ＭＴＣ）技法を対象とした大量マシンタイプ通信（ｍＭＴＣ：massive machine-type communications）、および／または超高信頼性低レイテンシ通信（ＵＲＬＬＣ：ultra-reliable low latency communications）を対象としたミッションクリティカルなどの、様々なワイヤレス通信サービスをサポートし得る。これらのサービスは、レイテンシおよび信頼性の要件を含み得る。これらのサービスはまた、それぞれのサービス品質（ＱｏＳ）要件を満たすために、異なる送信時間間隔（ＴＴＩ）を有し得る。加えて、これらのサービスは、同じサブフレームにおいて共存し得る。
【００２３】
[0035]  本開示の態様は、ＤＦＴ−Ｓ−ＦＤＭＡなどのシングルキャリア波形を使用して物理ダウンリンク制御チャネル（ＰＤＣＣＨ）を送信することに関する。
【００２４】
[0036]  以下の説明は、複数の例を提供するものであって、特許請求の範囲に記載された、範囲、適用可能性、または例を限定するものでない。本開示の範囲から逸脱することなく、説明される要素の機能および配置（arrangement）において変更がなされ得る。様々な例は、適宜、様々なプロシージャまたは構成要素を省略、代用、または追加し得る。例えば、説明される方法は、説明されるものとは異なる順序で行われ得、また、様々なステップが、追加、省略、または組み合わされ得る。また、いくつかの例に関して説明される特徴は、いくつかの他の例において組み合わされ得る。例えば、本明細書に示される任意の数の態様を使用して、装置が実施され得、または方法が実施され得る。加えて、本開示の範囲は、本明細書に示される本開示の様々な態様に加えて、またはそれ以外の、他の構造、機能、または構造と機能を使用して実施されるそのような装置または方法をカバーするように意図される。本明細書で開示される本開示の任意の態様が、請求項の１つまたは複数の要素によって具現化され得ることを理解されたい。「例示的（exemplary）」という用語は、本明細書で「例、事例、または例示を提供する」という意味で使用される。本明細書で「例示的」と説明される任意の態様は、必ずしも他の態様よりも好ましいまたは有利であると解釈されるべきでない。
【００２５】
[0037]  本明細書で説明される技法は、ＬＴＥ、ＣＤＭＡ、ＴＤＭＡ、ＦＤＭＡ、ＯＦＤＭＡ、ＳＣ−ＦＤＭＡ、および他のネットワークなどの、様々なワイヤレス通信ネットワークのために使用され得る。「ネットワーク」および「システム」という用語は、しばしば同義で用いられる。ＣＤＭＡネットワークは、ユニバーサル地上無線アクセス（ＵＴＲＡ）、ｃｄｍａ２０００、等のような無線技術を実施し得る。ＵＴＲＡは、広帯域ＣＤＭＡ（ＷＣＤＭＡ（登録商標））およびＣＤＭＡの他の変形を含む。ｃｄｍａ２０００は、ＩＳ−２０００、ＩＳ−９５およびＩＳ−８５６規格をカバーする。ＴＤＭＡネットワークは、モバイル通信のためのグローバルシステム（ＧＳＭ）（登録商標）などの無線技術を実施し得る。ＯＦＤＭＡネットワークは、ＮＲ（例えば、５Ｇ  ＲＡ）、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭＡ、等のような無線技術を実施し得る。ＵＴＲＡおよびＥ−ＵＴＲＡは、ユニバーサルモバイルテレコミュニケーションズシステム（ＵＭＴＳ）の一部である。ＮＲは、５Ｇ技術フォーラム（５ＧＴＦ：5G Technology Forum）とともに開発中の新興のワイヤレス通信技術である。３ＧＰＰロングタームエボリューション（ＬＴＥ）およびＬＴＥ−アドバンスト（ＬＴＥ−Ａ）は、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）という名称の団体からの文書に説明されている。ｃｄｍａ２０００およびＵＭＢは、「第３世代パートナーシッププロジェクト２」（３ＧＰＰ２）という名称の団体からの文書に説明されている。本明細書で説明される技法は、上述されたワイヤレスネットワークおよび無線技術のみならず、他のワイヤレスネットワークおよび無線技術のためにも使用され得る。明確さのために、態様が３Ｇおよび／または４Ｇワイヤレス技術に通常関連する専門用語を使用して本明細書で説明されることがあるとはいえ、本開示の態様は、５Ｇ以降のような、ＮＲ技術を含む他世代ベースの通信システムに適用されることができる。
【００２６】
［例となるワイヤレス通信システム］
[0038]  図１は、新無線（ＮＲ）または５Ｇネットワークなどの、例となるワイヤレスネットワーク１００を例示し、ここで、本開示の態様は、以下でより詳細に説明されるように、例えば、接続性セッション（connectivity sessions）およびインターネットプロトコル（ＩＰ）確立を可能にするために行われ得る。
【００２７】
[0039]  図１に例示されるように、ワイヤレスネットワーク１００は、いくつかのＢＳ１１０と他のネットワークエンティティとを含み得る。ＢＳは、複数のＵＥと通信する局であり得る。各ＢＳ１１０は、特定の地理的エリアに通信カバレッジを提供し得る。３ＧＰＰにおいて、「セル」という用語は、この用語が使用されるコンテキストに応じて、ノードＢのカバレッジエリアおよび／またはこのカバレッジエリアにサービス提供するノードＢサブシステムを指し得る。ＮＲシステムにおいて、「セル」という用語と、ｅＮＢ、ノードＢ、５Ｇ  ＮＢ、ＡＰ、ＮＲ  ＢＳ、ＮＲ  ＢＳ、またはＴＲＰとは、同義であり得る。いくつかの例において、セルは、必ずしも固定的ではなく、セルの地理的エリアは、移動基地局のロケーションに従って移動し得る。いくつかの例において、基地局は、任意の好適なトランスポートネットワークを使用して、直接的な物理接続、仮想ネットワーク、または同様のものなどの、様々なタイプのバックホールインターフェースを通じて、ワイヤレス通信ネットワーク１００において互いに、および／または１つまたは複数の他の基地局またはネットワークノード（図示せず）に相互接続され得る。
【００２８】
[0040]  一般に、任意の数のワイヤレスネットワークが、所与の地理的エリアにおいて展開され得る。各ワイヤレスネットワークは、特定の無線アクセス技術（ＲＡＴ）をサポートし得、１つまたは複数の周波数上で動作し得る。ＲＡＴは、無線技術、エアインターフェース、等と呼ばれることもある。周波数は、キャリア、周波数チャネル、等と呼ばれることもある。各周波数は、異なるＲＡＴのワイヤレスネットワーク間の干渉を回避するために、所与の地理的エリアにおいて単一のＲＡＴをサポートし得る。いくつかのケースでは、ＮＲまたは５Ｇ  ＲＡＴネットワークが展開され得る。
【００２９】
[0041]  ＢＳは、マクロセル、ピコセル、フェムトセル、および／または他のタイプのセルに通信カバレッジを提供し得る。マクロセルは、比較的大きい地理的エリア（例えば、半径数キロメートル）をカバーし得、サービスに加入しているＵＥによる無制限のアクセスを可能にし得る。ピコセルは、比較的小さい地理的エリアをカバーし得、サービスに加入しているＵＥによる無制限のアクセスを可能にし得る。フェムトセルは、比較的小さい地理的エリア（例えば、自宅）をカバーし得、フェムトセルとのアソシエーションを有するＵＥ（例えば、限定加入者グループ（ＣＳＧ）中のＵＥ、自宅内のユーザのためのＵＥ、等）による制限付きアクセスを可能にし得る。マクロセルのためのＢＳは、マクロＢＳと呼ばれ得る。ピコセルのためのＢＳは、ピコＢＳと呼ばれ得る。フェムトセルのためのＢＳは、フェムトＢＳまたはホームＢＳと呼ばれ得る。図１に示される例において、ＢＳ１１０ａ、１１０ｂおよび１１０ｃは、それぞれ、マクロセル１０２ａ、１０２ｂおよび１０２ｃのためのマクロＢＳであり得る。ＢＳ１１０ｘは、ピコセル１０２ｘのためのピコＢＳであり得る。ＢＳ１１０ｙおよび１１０ｚは、それぞれ、フェムトセル１０２ｙおよび１０２ｚのためのフェムトＢＳであり得る。ＢＳは、１つまたは複数（例えば、３つ）のセルをサポートし得る。
【００３０】
[0042]  ワイヤレスネットワーク１００はまた、中継局を含み得る。中継局は、アップストリーム局（例えば、ＢＳまたはＵＥ）からデータおよび／または他の情報の送信を受信し、ダウンストリーム局（例えば、ＵＥまたはＢＳ）にデータおよび／または他の情報の送信を送る局である。中継局はまた、他のＵＥのための送信を中継するＵＥであり得る。図１に示される例において、中継局１１０ｒは、ＢＳ１１０ａとＵＥ１２０ｒの間の通信を容易にするために、ＢＳ１１０ａおよびＵＥ１２０ｒと通信し得る。中継局は、リレーＢＳ、リレー、等と呼ばれることもある。
【００３１】
[0043]  ワイヤレスネットワーク１００は、異なるタイプのＢＳ、例えば、マクロＢＳ、ピコＢＳ、フェムトＢＳ、リレー、等を含む異種ネットワークであり得る。これらの異なるタイプのＢＳは、ワイヤレスネットワーク１００において、異なる送信電力レベル、異なるカバレッジエリア、および干渉に対する異なる影響を有し得る。例えば、マクロＢＳは、高い送信電力レベル（例えば、２０ワット）を有し得、一方、ピコＢＳ、フェムトＢＳ、およびリレーは、より低い送信電力レベル（例えば、１ワット）を有し得る。
【００３２】
[0044]  ワイヤレスネットワーク１００は、同期または非同期動作をサポートし得る。同期動作の場合、複数のＢＳは、同様のフレームタイミングを有し得、異なるＢＳからの送信は、ほぼ時間的に揃えられ得る。非同期動作の場合、複数のＢＳは、異なるフレームタイミングを有し得、異なるＢＳからの送信は、時間的に揃えられていない場合がある。本明細書で説明される技法は、同期動作と非同期動作の両方のために使用され得る。
【００３３】
[0045]  ネットワークコントローラ１３０が、複数のＢＳのセットに結合され、これらのＢＳに対して調整および制御を提供し得る。ネットワークコントローラ１３０は、バックホールを介してＢＳ１１０と通信し得る。ＢＳ１１０はまた、例えば、ワイヤレスまたはワイヤラインバックホールを介して直接的または間接的に、互いに通信し得る。
【００３４】
[0046]  ＵＥ１２０（例えば、１２０ｘ、１２０ｙ、等）は、ワイヤレスネットワーク１００全体にわたって分散され得、各ＵＥは、固定またはモバイルであり得る。ＵＥは、移動局、端末、アクセス端末、加入者ユニット、局、カスタマ構内設備（ＣＰＥ：Customer Premises Equipment）、セルラフォン、スマートフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲームデバイス、ネットブック、スマートブック、ウルトラブック、医療デバイスまたは医療機器、生体センサ／デバイス、スマートウォッチ、スマート衣料、スマートグラス、スマートリストバンド、スマートジュエリー（例えば、スマートリング、スマートブレスレット、等）などのウェアラブルデバイス、娯楽デバイス（例えば、音楽デバイス、ビデオデバイス、衛星ラジオ、等）、車両コンポーネントまたはセンサ、スマートメータ／センサ、工業生産機器、全地球測位システムデバイス、またはワイヤレスまたはワイヤード媒体を介して通信するように構成されたその他任意の好適なデバイスとして呼ばれることもある。いくつかのＵＥは、発展型デバイスもしくはマシンタイプ通信（ＭＴＣ）デバイスまたは発展型ＭＴＣ（ｅＭＴＣ）デバイスと見なされ得る。ＭＴＣ  ＵＥおよびｅＭＴＣ  ＵＥは、ＢＳ、別のデバイス（例えば、遠隔デバイス）、または何らかの他のエンティティと通信し得る、例えば、ロボット、ドローン、遠隔デバイス、センサ、メータ、モニタ、ロケーションタグ、等を含む。ワイヤレスノードは、例えば、ワイヤードまたはワイヤレス通信リンクを介して、ネットワーク（例えば、セルラネットワークまたはインターネットなどのワイドエリアネットワーク）のための、またはネットワークへの接続性を提供し得る。いくつかのＵＥは、モノのインターネット（ＩｏＴ）デバイスと見なされ得る。
【００３５】
[0047]  図１において、両側の矢印を伴う実線は、ＵＥとサービングＢＳの間の所望の送信を示し、このサービングＢＳは、ダウンリンクおよび／またはアップリンク上でＵＥにサービス提供するように指定されたＢＳである。両側の矢印を伴う破線は、ＵＥとＢＳの間の干渉する送信を示す。
【００３６】
[0048]  ある特定のワイヤレスネットワーク（例えば、ＬＴＥ）は、ダウンリンク上で直交周波数分割多重化（ＯＦＤＭ）およびアップリンク上でシングルキャリア周波数分割多重化（ＳＣ−ＦＤＭ）を利用する。ＯＦＤＭおよびＳＣ−ＦＤＭは、システム帯域幅を、一般に、トーン、ビン、等とも呼ばれる、複数（Ｋ個）の直交サブキャリアに区分する。各サブキャリアは、データで変調され得る。一般に、変調シンボルは、ＯＦＤＭでは周波数領域において、ＳＣ−ＦＤＭでは時間領域において送られる。隣接するサブキャリア間の間隔は、固定であり得、サブキャリアの総数（Ｋ）は、システム帯域幅に依存し得る。例えば、サブキャリアの間隔は、１５ｋＨｚであり得、最小のリソース割振り（「リソースブロック」と呼ばれる）は、１２個のサブキャリア（すなわち、１８０ｋＨｚ）であり得る。結果として、公称のＦＦＴサイズは、１．２５、２．５、５、１０または２０メガヘルツ（ＭＨｚ）のシステム帯域幅に対して、それぞれ、１２８、２５６、５１２、１０２４または２０４８に等しくなり得る。システム帯域幅はまた、サブバンドに区分され得る。例えば、サブバンドは、１．０８ＭＨｚ（すなわち、６個のリソースブロック）をカバーし得、１．２５、２．５、５、１０または２０ＭＨｚのシステム帯域幅に対して、それぞれ、１、２、４、８または１６個のサブバンドが存在し得る。
【００３７】
[0049]  本明細書で説明される例の態様が、ＬＴＥ技術に関連付けられ得る一方で、本開示の態様は、ＮＲなどの他のワイヤレス通信システムに適用可能であり得る。ＮＲは、アップリンクおよびダウンリンク上でＣＰを用いるＯＦＤＭを利用し、時分割複信（ＴＤＤ）を使用する半二重動作に対するサポートを含み得る。１００ＭＨｚの単一のコンポーネントキャリア帯域幅がサポートされ得る。ＮＲリソースブロックは、０．１ｍｓの持続時間にわたって７５ｋＨｚのサブキャリア帯域幅を有する１２個のサブキャリアに及び得る。各無線フレームは、１０ｍｓの長さを有するとともに、２つの半フレームで構成され得、各半フレームは、５個のサブフレームで構成されている。結果として、各サブフレームは、１ｍｓの長さを有し得る。各サブフレームは、データ送信についてのリンク方向（すなわち、ＤＬまたはＵＬ）を示し得、各サブフレームについてのリンク方向は、動的に切り替えられ得る。各サブフレームは、ＤＬ／ＵＬデータのみならずＤＬ／ＵＬ制御データを含み得る。ＮＲのためのＵＬおよびＤＬサブフレームは、図６および図７に関して以下でより詳細に説明されるとおりであり得る。ビームフォーミングがサポートされ得、ビーム方向が動的に構成され得る。プリコーディングを用いたＭＩＭＯ送信もまたサポートされ得る。ＤＬにおけるＭＩＭＯ構成は、ＵＥごとに最大２ストリームおよび最大８ストリームのマルチレイヤＤＬ送信を用いる、最大８個の送信アンテナをサポートし得る。ＵＥごとに最大２ストリームを用いるマルチレイヤ送信がサポートされ得る。複数のセルのアグリゲーションが、最大８個のサービングセルを用いてサポートされ得る。代替として、ＮＲは、ＯＦＤＭベース以外の異なるエアインターフェースをサポートし得る。ＮＲネットワークは、ＣＵおよび／またはＤＵなどのエンティティを含み得る。
【００３８】
[0050]  いくつかの例では、エアインターフェースへのアクセスがスケジュールされ得、ここで、スケジューリングエンティティ（例えば、基地局）が、そのサービスエリアまたはセル内の、一部または全てのデバイスおよび機器の間での通信のためにリソースを割り振る（allocates resources for communication）。本開示内で、以下でさらに説明されるように、スケジューリングエンティティは、１つまたは複数の下位エンティティ（subordinate entities）のためのリソースのスケジューリング、割当て、再構成、および解放を担い得る。すなわち、スケジュールされた通信のために、下位エンティティは、スケジューリングエンティティによって割り振られるリソースを利用する。基地局は、スケジューリングエンティティとして機能し得る唯一のエンティティではない。すなわち、いくつかの例では、ＵＥが、スケジューリングエンティティとして機能し得、１つまたは複数の下位エンティティ（例えば、１つまたは複数の他のＵＥ）のためにリソースをスケジュールする。この例において、ＵＥは、スケジューリングエンティティとして機能しており、他のＵＥは、ワイヤレス通信のためにこのＵＥによってスケジュールされたリソースを利用する。ＵＥは、ピアツーピア（Ｐ２Ｐ）ネットワーク内で、および／またはメッシュネットワーク内で、スケジューリングエンティティとして機能し得る。メッシュネットワークの例において、ＵＥは、スケジューリングエンティティと通信することに加えて、オプションとして互いに直接通信し得る。
【００３９】
[0051]  従って、時間−周波数リソースへのスケジュールされたアクセスを伴い、かつセルラ構成、Ｐ２Ｐ構成、およびメッシュ構成を有するワイヤレス通信ネットワークにおいて、スケジューリングエンティティおよび１つまたは複数の下位エンティティは、スケジュールされたリソースを利用して通信し得る。
【００４０】
[0052]  上述されたように、ＲＡＮは、ＣＵおよびＤＵを含み得る。ＮＲ  ＢＳ（例えば、ｅＮＢ、５ＧノードＢ、ノードＢ、送受信ポイント（ＴＲＰ）、アクセスポイント（ＡＰ））は、１つまたは複数のＢＳに対応し得る。ＮＲセルは、アクセスセル（ＡＣｅｌｌ）またはデータオンリーセル（ＤＣｅｌｌ）として構成され得る。例えば、ＲＡＮ（例えば、集約ユニットまたは分散ユニット）は、セルを構成し得る。ＤＣｅｌｌは、キャリアアグリゲーションまたはデュアルコネクティビティのために使用されるが、初期アクセス、セル選択／再選択、またはハンドオーバのために使用されないセルであり得る。いくつかのケースにおいて、ＤＣｅｌｌは、同期信号を送信しないことがあり得―いくつかのケースにおいて、ＤＣｅｌｌは、ＳＳを送信し得る。ＮＲ  ＢＳは、セルタイプを示すダウンリンク信号をＵＥに送信し得る。セルタイプインジケーションに基づいて、ＵＥは、ＮＲ  ＢＳと通信し得る。例えば、ＵＥは、示されたセルタイプに基づいて、セル選択、アクセス、ハンドオーバ、および／または測定のために考慮すべきＮＲ  ＢＳを決定し得る。
【００４１】
[0053]  図２は、図１に例示されたワイヤレス通信システムにおいて実施され得る、分散型無線アクセスネットワーク（ＲＡＮ）２００の例となる論理アーキテクチャを例示する。５Ｇアクセスノード２０６は、アクセスノードコントローラ（ＡＮＣ）２０２を含み得る。ＡＮＣは、分散型ＲＡＮ２００の集約ユニット（ＣＵ）であり得る。次世代コアネットワーク（ＮＧ−ＣＮ）２０４へのバックホールインターフェースは、ＡＮＣにおいて終端（terminate）し得る。隣接する次世代アクセスノード（ＮＧ−ＡＮ）へのバックホールインターフェースは、ＡＮＣにおいて終端し得る。ＡＮＣは、１つまたは複数のＴＲＰ２０８（これは、ＢＳ、ＮＲ  ＢＳ、ノードＢ、５Ｇ  ＮＢ、ＡＰ、または何らかの他の用語で呼ばれることもある）を含み得る。上記で説明されたように、ＴＲＰは、「セル」と同義で用いられ得る。
【００４２】
[0054]  ＴＲＰ２０８は、ＤＵであり得る。ＴＲＰは、１つのＡＮＣ（ＡＮＣ２０２）または１つより多くのＡＮＣ（図示せず）に接続され得る。例えば、ＲＡＮ共有、サービスとしての無線（ＲａａＳ：radio as a service）、およびサービス固有のＡＮＤ展開の場合、ＴＲＰは、１つより多くのＡＮＣに接続され得る。ＴＲＰは、１つまたは複数のアンテナポートを含み得る。ＴＲＰは、個別に（例えば、動的選択）または共同で（例えば、ジョイント送信）、ＵＥに対するトラフィックをサービス（serve）するように構成され得る。
【００４３】
[0055]  ローカルアーキテクチャ２００は、フロントホール定義（fronthaul definition）を例示するために使用され得る。異なる展開タイプにわたってフロントホールソリューションをサポートするアーキテクチャが定義され得る。例えば、アーキテクチャは、送信ネットワーク能力（例えば、帯域幅、レイテンシ、および／またはジッタ）に基づき得る。
【００４４】
[0056]  アーキテクチャは、特徴および／または構成要素をＬＴＥと共有し得る。複数の態様によると、次世代ＡＮ（ＮＧ−ＡＮ）２１０は、ＮＲとのデュアルコネクティビティをサポートし得る。ＮＧ−ＡＮは、ＬＴＥおよびＮＲのための共通のフロントホールを共有し得る。
【００４５】
[0057]  アーキテクチャは、ＴＲＰ２０８同士および複数のＴＲＰ２０８の間での協働を可能にし得る。例えば、協働は、ＡＮＣ２０２を介して複数のＴＲＰにわたっておよび／または１つのＴＲＰ内で事前設定（preset）され得る。複数の態様によると、ＴＲＰ間インターフェースは、必要がなくなり得、および／または存在しなくなり得る。
【００４６】
[0058]  複数の態様によると、分割された論理機能（split logical functions）の動的構成が、アーキテクチャ２００内に存在し得る。図５を参照してより詳細に説明されるように、無線リソース制御（ＲＲＣ）レイヤ、パケットデータコンバージェンスプロトコル（ＰＤＣＰ）レイヤ、無線リンク制御（ＲＬＣ）レイヤ、媒体アクセス制御（ＭＡＣ）レイヤ、および物理（ＰＨＹ）レイヤは、ＤＵまたはＣＵ（例えば、それぞれ、ＴＲＰまたはＡＮＣ）において、適応的に配置され得る。ある特定の態様によると、ＢＳは、１つの集約ユニット（ＣＵ）（例えば、ＡＮＣ２０２）および／または１つまたは複数の分散ユニット（例えば、１つまたは複数のＴＲＰ２０８）を含み得る。
【００４７】
[0059]  図３は、本開示の態様による、分散型ＲＡＮ３００の例となる物理アーキテクチャを例示する。集中型コアネットワークユニット（Ｃ−ＣＵ）３０２が、コアネットワーク機能をホストし得る。Ｃ−ＣＵは、中央に展開され得る。Ｃ−ＣＵ機能は、ピーク容量を処理するために、（例えば、アドバンストワイヤレスサービス（ＡＷＳ）に）オフロードされ得る。
【００４８】
[0060]  集中型ＲＡＮユニット（Ｃ−ＲＵ）３０４が、１つまたは複数のＡＮＣ機能をホストし得る。オプションとして、Ｃ−ＲＵは、ローカルにコアネットワーク機能をホストし得る。Ｃ−ＲＵは、分散型展開を有し得る。Ｃ−ＲＵは、ネットワークエッジのより近くにあり得る。
【００４９】
[0061]  ＤＵ３０６は、１つまたは複数のＴＲＰ（エッジノード（ＥＮ）、エッジユニット（ＥＵ）、無線ヘッド（ＲＨ）、スマート無線ヘッド（ＳＲＨ）、または同様のもの）をホストし得る。ＤＵは、無線周波数（ＲＦ）機能を伴ってネットワークのエッジに位置し得る。
【００５０】
[0062]  図４は、本開示の態様を実施するために使用され得る、図１に例示されたＢＳ１１０およびＵＥ１２０の例となる構成要素を例示する。上記で説明されたように、ＢＳは、ＴＲＰを含み得る。ＢＳ１１０およびＵＥ１２０の１つまたは複数の構成要素が、本開示の態様を実施するために使用され得る。例えば、ＵＥ１２０のアンテナ４５２、Ｔｘ／Ｒｘ２２２、プロセッサ４６６、４５８、４６４、および／またはコントローラ／プロセッサ４８０、および／または、ＢＳ１１０のアンテナ４３４、プロセッサ４６０、４２０、４３８、および／またはコントローラ／プロセッサ４４０が、図１３を参照して例示されおよび本明細書で説明される動作を行うために使用され得る。
【００５１】
[0063]  図４は、図１のＢＳのうちの１つおよびＵＥのうちの１つであり得る、ＢＳ１１０およびＵＥ１２０の設計のブロック図を示す。制限付きアソシエーションのシナリオの場合、基地局１１０は、図１のマクロＢＳ１１０ｃであり得、ＵＥ１２０は、ＵＥ１２０ｙであり得る。基地局１１０はまた、何らかの他のタイプの基地局であり得る。基地局１１０は、アンテナ４３４ａ〜４３４ｔを装備し得、ＵＥ１２０は、アンテナ４５２ａ〜４５２ｒを装備し得る。
【００５２】
[0064]  基地局１１０において、送信プロセッサ４２０が、データソース４１２からのデータと、コントローラ／プロセッサ４４０からの制御情報とを受信し得る。制御情報は、物理ブロードキャストチャネル（ＰＢＣＨ）、物理制御フォーマットインジケータチャネル（ＰＣＦＩＣＨ）、物理ハイブリッドＡＲＱインジケータチャネル（ＰＨＩＣＨ）、物理ダウンリンク制御チャネル（ＰＤＣＣＨ）、等のためのものであり得る。データは、物理ダウンリンク共有チャネル（ＰＤＳＣＨ）、等のためのものであり得る。プロセッサ４２０は、データおよび制御情報を処理（例えば、符号化およびシンボルマッピング）して、それぞれ、データシンボルおよび制御シンボルを取得し得る。プロセッサ４２０はまた、例えば、ＰＳＳ、ＳＳＳ、およびセル固有基準信号のための、基準シンボルを生成し得る。送信（ＴＸ）多入力多出力（ＭＩＭＯ）プロセッサ４３０は、適用可能な場合、データシンボル、制御シンボル、および／または基準シンボルに対して空間処理（例えば、プリコーディング）を行い得、変調器（ＭＯＤ）４３２ａ〜４３２ｔに出力シンボルストリームを提供し得る。例えば、ＴＸ  ＭＩＭＯプロセッサ４３０は、ＲＳ多重化に関して本明細書で説明されるある特定の態様を行い得る。各変調器４３２は、（例えば、ＯＦＤＭ、等のために）それぞれの出力シンボルストリームを処理して、出力サンプルストリームを取得し得る。各変調器４３２は、出力サンプルストリームをさらに処理（例えば、アナログ変換、増幅、フィルタリング、およびアップコンバート）して、ダウンリンク信号を取得し得る。変調器４３２ａ〜４３２ｔからのダウンリンク信号は、それぞれ、アンテナ４３４ａ〜４３４ｔを介して送信され得る。
【００５３】
[0065]  ＵＥ１２０において、アンテナ４５２ａ〜４５２ｒは、基地局１１０からダウンリンク信号を受信し得、受信された信号を、それぞれ、復調器（ＤＥＭＯＤ）４５４ａ〜４５４ｒに提供し得る。各復調器４５４は、それぞれの受信された信号を調整（例えば、フィルタリング、増幅、ダウンコンバート、およびデジタル化）して、入力サンプルを取得し得る。各復調器４５４は、（例えば、ＯＦＤＭ、等のために）入力サンプルをさらに処理して、受信されたシンボルを取得し得る。ＭＩＭＯ検出器４５６は、全ての復調器４５４ａ〜４５４ｒから受信されたシンボルを取得し、適用可能な場合、受信されたシンボルに対してＭＩＭＯ検出を行い、検出されたシンボルを提供し得る。例えば、ＭＩＭＯ検出器４５６は、本明細書で説明される技法を使用して送信される検出されたＲＳを提供し得る。受信プロセッサ４５８は、検出されたシンボルを処理（例えば、復調、デインターリーブ、および復号）し、ＵＥ１２０のための復号されたデータをデータシンク４６０に提供し、復号された制御情報をコントローラ／プロセッサ４８０に提供し得る。
【００５４】
[0066]  アップリンク上では、ＵＥ１２０において、送信プロセッサ４６４が、データソース４６２からの（例えば、物理アップリンク共用チャネル（ＰＵＳＣＨ）のための）データと、コントローラ／プロセッサ４８０からの（例えば、物理アップリンク制御チャネル（ＰＵＣＣＨ）のための）制御情報とを受信および処理し得る。送信プロセッサ４６４はまた、基準信号のための基準シンボルを生成し得る。送信プロセッサ４６４からのシンボルは、適用可能な場合、ＴＸ  ＭＩＭＯプロセッサ４６６によってプリコーディングされ、（例えば、ＳＣ−ＦＤＭ、等のために）復調器４５４ａ〜４５４ｒによってさらに処理され、基地局１１０に送信され得る。ＢＳ１１０において、ＵＥ１２０からのアップリンク信号は、アンテナ４３４によって受信され、変調器４３２によって処理され、適用可能な場合、ＭＩＭＯ検出器４３６によって検出され、受信プロセッサ４３８によってさらに処理されて、ＵＥ１２０によって送られた、復号されたデータおよび制御情報を取得し得る。受信プロセッサ４３８は、復号されたデータをデータシンク４３９に提供し、復号された制御情報をコントローラ／プロセッサ４４０に提供し得る。
【００５５】
[0067]  コントローラ／プロセッサ４４０および４８０は、それぞれ、基地局１１０およびＵＥ１２０における動作を指示し得る。基地局１１０におけるプロセッサ４４０および／または他のプロセッサおよびモジュールは、例えば、図１３に例示される機能ブロックの実行、および／または本明細書で説明される技法のための他のプロセスを行うかまたは指示し得る。ＵＥ１２０におけるプロセッサ４８０および／または他のプロセッサおよびモジュールもまた、本明細書で説明される技法のためのプロセスを行うかまたは指示し得る。メモリ４４２および４８２は、それぞれ、ＢＳ１１０およびＵＥ１２０のためのデータおよびプログラムコードを記憶し得る。スケジューラ４４４は、ダウンリンクおよび／またはアップリンク上でのデータ送信のためにＵＥをスケジュールし得る。
【００５６】
[0068]  図５は、本開示の態様による、通信プロトコルスタックを実施するための例を示す図５００を例示する。例示された通信プロトコルスタックは、５Ｇシステム（例えば、アップリンクベースのモビリティをサポートするシステム）において動作するデバイスによって実施され得る。図５００は、無線リソース制御（ＲＲＣ）レイヤ５１０、パケットデータコンバージェンスプロトコル（ＰＤＣＰ）レイヤ５１５、無線リンク制御（ＲＬＣ）レイヤ５２０、媒体アクセス制御（ＭＡＣ）レイヤ５２５、および物理（ＰＨＹ）レイヤ５３０を含む、通信プロトコルスタックを例示する。様々な例において、プロトコルスタックのレイヤは、ソフトウェアの個別モジュール、プロセッサまたはＡＳＩＣの部分、通信リンクによって接続された非コロケートデバイスの部分、またはそれらの様々な組合せとして実施され得る。コロケートおよび非コロケートの実施形態は、例えば、ネットワークアクセスデバイス（例えば、ＡＮ、ＣＵ、および／またはＤＵ）またはＵＥのためのプロトコルスタックにおいて、使用され得る。
【００５７】
[0069]  第１のオプション５０５−ａは、プロトコルスタックの実施形態が、集中型ネットワークアクセスデバイス（例えば、図２のＡＮＣ２０２）と、分散型ネットワークアクセスデバイス（例えば、図２のＤＵ２０８）との間で分割（split）される、プロトコルスタックの分割実施形態を示す。第１のオプション５０５−ａにおいて、ＲＲＣレイヤ５１０およびＰＤＣＰレイヤ５１５は、集約ユニットによって実施され得、ＲＬＣレイヤ５２０、ＭＡＣレイヤ５２５、およびＰＨＹレイヤ５３０は、ＤＵによって実施され得る。様々な例において、ＣＵおよびＤＵは、コロケートされるか、または非コロケートされ得る。第１のオプション５０５−ａは、マクロセル、マイクロセル、またはピコセルの展開において有用であり得る。
【００５８】
[0070]  第２のオプション５０５−ｂは、プロトコルスタックが、単一のネットワークアクセスデバイス（例えば、アクセスノード（ＡＮ）、新無線基地局（ＮＲ  ＢＳ）、新無線ノードＢ（ＮＲ  ＮＢ）、ネットワークノード（ＮＮ）、または同様のもの）において実施される、プロトコルスタックの統合実施形態を示す。第２のオプションにおいて、ＲＲＣレイヤ５１０、ＰＤＣＰレイヤ５１５、ＲＬＣレイヤ５２０、ＭＡＣレイヤ５２５、およびＰＨＹレイヤ５３０は、ＡＮによってそれぞれ実施され得る。第２のオプション５０５−ｂは、フェムトセルの展開において有用であり得る。
【００５９】
[0071]  ネットワークアクセスデバイスが、プロトコルスタックの一部を実施するか、あるいはプロトコルスタックの全てを実施するかにかかわらず、ＵＥは、全プロトコルスタック５０５−ｃ（例えば、ＲＲＣレイヤ５１０、ＰＤＣＰレイヤ５１５、ＲＬＣレイヤ５２０、ＭＡＣレイヤ５２５、およびＰＨＹレイヤ５３０）を実施し得る。
【００６０】
[0072]  図６は、ＤＬセントリックサブフレームの例を示す図６００である。ＤＬセントリックサブフレームは、制御部分６０２を含み得る。制御部分６０２は、ＤＬセントリックサブフレームの初期または始まりの部分に存在し得る。制御部分６０２は、ＤＬセントリックサブフレームの様々な部分に対応する、様々なスケジューリング情報および／または制御情報を含み得る。いくつかの構成において、制御部分６０２は、図６に示されるように、物理ＤＬ制御チャネル（ＰＤＣＣＨ）であり得る。ＤＬセントリックサブフレームはまた、ＤＬデータ部分６０４を含み得る。ＤＬデータ部分６０４は、ＤＬセントリックサブフレームのペイロードと呼ばれることがある。ＤＬデータ部分６０４は、スケジューリングエンティティ（例えば、ＵＥまたはＢＳ）から下位エンティティ（例えば、ＵＥ）にＤＬデータを通信するために利用される通信リソースを含み得る。いくつかの構成において、ＤＬデータ部分６０４は、物理ＤＬ共有チャネル（ＰＤＳＣＨ）であり得る。
【００６１】
[0073]  ＤＬセントリックサブフレームはまた、共通ＵＬ部分６０６を含み得る。共通ＵＬ部分６０６は、ＵＬバースト、共通ＵＬバースト、および／または様々な他の好適な用語で呼ばれることがある。共通ＵＬ部分６０６は、ＤＬセントリックサブフレームの様々な他の部分に対応するフィードバック情報を含み得る。例えば、共通ＵＬ部分６０６は、制御部分６０２に対応するフィードバック情報を含み得る。フィードバック情報の非限定的な例は、ＡＣＫ信号、ＮＡＣＫ信号、ＨＡＲＱインジケータ、および／または様々な他の好適なタイプの情報を含み得る。共通ＵＬ部分６０６は、ランダムアクセスチャネル（ＲＡＣＨ）プロシージャに関する情報、スケジューリング要求（ＳＲ）、および様々な他の好適なタイプの情報などの、追加または代替の情報を含み得る。図６に例示されるように、ＤＬデータ部分６０４の終わりは、共通ＵＬ部分６０６の始まりから時間的な隔たりがあり得る。この時間的な隔たりは、ギャップ、ガード期間、ガードインターバル、および／または様々な他の好適な用語で呼ばれることがある。この隔たりは、ＤＬ通信（例えば、下位エンティティ（例えば、ＵＥ）による受信動作）から、ＵＬ通信（例えば、下位エンティティ（例えば、ＵＥ）による送信）への切替えのための時間を提供する。当業者であれば、前述は、ＤＬセントリックサブフレームの単なる一例にすぎず、本明細書で説明される態様から必ずしも逸脱することなく、同様の特徴を有する代替構造が存在し得ることを理解するであろう。
【００６２】
[0074]  図７は、ＵＬセントリックサブフレームの例を示す図７００である。ＵＬセントリックサブフレームは、制御部分７０２を含み得る。制御部分７０２は、ＵＬセントリックサブフレームの初期または始まりの部分に存在し得る。図７の制御部分７０２は、図６を参照して上記で説明された制御部分と同様であり得る。ＵＬセントリックサブフレームはまた、ＵＬデータ部分７０４を含み得る。ＵＬデータ部分７０４は、ＵＬセントリックサブフレームのペイロードと呼ばれることがある。ＵＬ部分は、下位エンティティ（例えば、ＵＥ）からスケジューリングエンティティ（例えば、ＵＥまたはＢＳ）にＵＬデータを通信するために利用される通信リソースを指し得る。いくつかの構成において、制御部分７０２は、物理ＤＬ制御チャネル（ＰＤＣＣＨ）であり得る。
【００６３】
[0075]  図７に例示されるように、制御部分７０２の終わりは、ＵＬデータ部分７０４の始まりから時間的な隔たりがあり得る。この時間的な隔たりは、ギャップ、ガード期間、ガードインターバル、および／または様々な他の好適な用語で呼ばれることがある。この隔たりは、ＤＬ通信（例えば、スケジューリングエンティティによる受信動作）から、ＵＬ通信（例えば、スケジューリングエンティティによる送信）への切替えのための時間を提供する。ＵＬセントリックサブフレームはまた、共通ＵＬ部分７０６を含み得る。図７の共通ＵＬ部分７０６は、図７を参照して上記で説明された共通ＵＬ部分７０６と同様であり得る。共通ＵＬ部分７０６は、追加または代替として、チャネル品質インジケータ（ＣＱＩ）に関する情報、サウンディング基準信号（ＳＲＳ）、および様々な他の好適なタイプの情報を含み得る。当業者であれば、前述は、ＵＬセントリックサブフレームの単なる一例にすぎず、本明細書で説明される態様から必ずしも逸脱することなく、同様の特徴を有する代替構造が存在し得ることを理解するであろう。
【００６４】
[0076]  いくつかの状況では、２つ以上の下位エンティティ（例えば、ＵＥ）が、サイドリンク信号を使用して互いに通信し得る。このようなサイドリンク通信の現実世界でのアプリケーションは、公共安全、近接サービス、ＵＥ−ネットワーク中継、車車間（Ｖ２Ｖ：vehicle-to-vehicle）通信、全てのインターネット（ＩｏＥ）通信、ＩｏＴ通信、ミッションクリティカルメッシュ、および／または様々な他の好適なアプリケーションを含み得る。一般に、サイドリンク信号は、スケジューリングエンティティがスケジューリングおよび／または制御目的のために利用され得るにもかかわらず、スケジューリングエンティティ（例えば、ＵＥまたはＢＳ）を通じてその通信を中継することなく、１つの下位エンティティ（例えば、ＵＥ１）から別の下位エンティティ（例えば、ＵＥ２）に通信される信号を指し得る。いくつかの例において、サイドリンク信号は、（通常、アンライセンススペクトルを使用するワイヤレスローカルエリアネットワークとは異なり）ライセンススペクトルを使用して通信され得る。
【００６５】
[0077]  ＵＥは、リソースの専用セットを使用してパイロットを送信することに関連付けられた構成（例えば、無線リソース制御（ＲＲＣ）専用状態、等）、またはリソースの共通セットを使用してパイロットを送信することに関連付けられた構成（例えば、ＲＲＣ共通状態、等）を含む、様々な無線リソース構成において動作し得る。ＲＲＣ専用状態で動作しているとき、ＵＥは、パイロット信号をネットワークに送信するために、リソースの専用セットを選択し得る。ＲＲＣ共通状態で動作しているとき、ＵＥは、パイロット信号をネットワークに送信するために、リソースの共通セットを選択し得る。いずれのケースでも、ＵＥによって送信されるパイロット信号は、ＡＮまたはＤＵなどの、１つまたは複数のネットワークアクセスデバイス、あるいはその部分によって受信され得る。各受信ネットワークアクセスデバイスは、リソースの共通セット上で送信されるパイロット信号を受信および測定すること、そしてまた、ネットワークアクセスデバイスがそのＵＥについてのネットワークアクセスデバイスの監視セットのメンバーである、ＵＥに割り振られたリソースの専用セット上で送信されたパイロット信号を受信および測定することをするように構成され得る。受信ネットワークアクセスデバイスのうちの１つまたは複数、または（１つまたは複数の）受信ネットワークアクセスデバイスがパイロット信号の測定値を送信する先のＣＵは、ＵＥのためのサービングセルを識別するために、またはＵＥのうちの１つまたは複数のためのサービングセルの変更を開始するために、測定値を使用し得る。
【００６６】
［例となるシングルキャリア波形のための制御リソースセット］
[0078]  ミリメートル波（ｍｍＷ）新無線（ＮＲ）（例えば、５Ｇ）規格に従って動作する通信システムでは、ＯＦＤＭＡ波形に加えて、シングルキャリア波形が、ＤＬリンクバジェットを拡張するために、デバイスによって使用され得る。すなわち、シングルキャリア波形の使用は、受信デバイスにおいて、受信されたダウンリンク信号の電力レベルを改善し得る。シングルキャリア波形は、信号のより低いピーク対平均電力比（ＰＡＰＲ）を可能にし得、これは、送信チェーンの電力増幅器（ＰＡ）が、より高い送信電力レベルを使用することを可能にし得る。離散フーリエ変換シングルキャリア周波数領域多元接続（ＤＦＴ−Ｓ−ＦＤＭＡ）は、ダウンリンク信号のために使用され得るシングルキャリア波形の１つのタイプである。
【００６７】
[0079]  本開示の態様によると、ＰＤＳＣＨを送信するために設計されたシングルキャリア波形が、ＰＤＣＣＨを送信するためにも使用され得る。ＵＥが既に受信することが可能である波形（例えば、ＰＤＳＣＨを送信するために設計されたシングルキャリア波形）を使用することは、ＰＤＣＣＨを送信するために異なる波形を設計することよりも有利であり得、これは、ＵＥ受信機がシングルキャリアＰＤＳＣＨを受信する際に使用するものと同じ受信チェーンコンポーネントを用いて、ＵＥ受信機がシングルキャリアＰＤＣＣＨを受信し得るからである。
【００６８】
[0080]  本開示の態様では、ＯＦＤＭＡシステム（例えば、ＯＦＤＭＡ波形を使用してＰＤＣＣＨを送信する通信システム）のための制御リソースセット（ｃｏｒｅｓｅｔ）が、システム帯域幅内で、ＰＤＣＣＨを伝達するために構成された、１つまたは複数の制御リソース（例えば、時間および周波数リソース）セットを備え得る。各ｃｏｒｅｓｅｔ内で、１つまたは複数の探索空間（例えば、共通探索空間（ＣＳＳ）、ＵＥ固有の探索空間（ＵＳＳ））が、所与のＵＥのために定義され得る。
【００６９】
[0081]  本開示の態様によると、ｃｏｒｅｓｅｔは、リソースエレメントグループ（ＲＥＧ）の単位で定義される、時間および周波数領域リソースのセットである。各ＲＥＧは、１つのシンボル期間（例えば、スロットのシンボル期間）において固定数（例えば、１２個）のトーンを備え得、ここで、１つのシンボル期間における１つのトーンが、リソースエレメント（ＲＥ）と呼ばれる。固定数のＲＥＧが、制御チャネルエレメント（ＣＣＥ）に含まれ得る。複数セットのＣＣＥが、新無線ＰＤＣＣＨ（ＮＲ−ＰＤＣＣＨ）を送信するために使用され得るとともに、これらセットにおける異なる数のＣＣＥが、異なるアグリゲーションレベルを使用してＮＲ−ＰＤＣＣＨを送信するために使用される。複数セットのＣＣＥが、ＵＥのための探索空間として定義され得、従って、ノードＢまたは他の基地局は、ＵＥのための探索空間内で、復号候補として定義されたＣＣＥのセットにおいてＮＲ−ＰＤＣＣＨを送信することによって、ＵＥにＮＲ−ＰＤＣＣＨを送信し得、ＵＥは、ＵＥのための探索空間内をサーチしノードＢによって送信されたＮＲ−ＰＤＣＣＨを復号することによって、ＮＲ−ＰＤＣＣＨを受信し得る。
【００７０】
[0082]  本開示の態様では、ノードＢが、ＲＥＧからＣＣＥを形成することと、異なるＵＥのためのＣＣＥにＮＲ−ＰＤＣＣＨをマッピングすることとの異なる技法を使用し得、従って、１つのｃｏｒｅｓｅｔにおいて、複数のＵＥにＮＲ−ＰＤＣＣＨを送信するための複数のオプションを可能にする。
【００７１】
[0083]  本開示の態様によると、周波数領域において、ＣＣＥにＯＦＤＭＡ  ＮＲ−ＰＤＣＣＨをマッピングすることは、局所または分散アプローチを使用し得る。すなわち、ＮＲ−ＰＤＣＣＨは、隣接するトーンのセットにマッピングされるか（局所アプローチ）、または帯域幅において隣接していないトーンにわたって拡散され得る（分散アプローチ）。
【００７２】
[0084]  本開示の態様では、復調基準信号（ＤＭＲＳ）が、ＯＦＤＭＡなどの非シングルキャリア波形を使用して送信されるＮＲ−ＰＤＣＣＨに関連付けられ得る。ＤＭＲＳは、ＮＲ−ＰＤＣＣＨを受信するデバイスによってチャネル状態を決定する際に使用され得、デバイスは、ＮＲ−ＰＤＣＣＨを受信、復調、および／または復号する際に、チャネル状態を使用し得る。ＤＭＲＳは、ＮＲ−ＰＤＣＣＨに埋め込まれるか、またはｃｏｒｅｓｅｔにおいて広帯域信号として送信され得る。ＤＭＲＳがＮＲ−ＰＤＣＣＨに埋め込まれている場合には、ＮＲ−ＰＤＣＣＨを送信する際に使用されるいくつかのＣＣＥは、埋め込まれたＤＭＲＳを送信するために使用され、ＮＲ−ＰＤＣＣＨを送信する際に使用されるＣＣＥによって伝達される制御データの総量を低減させる。ＤＭＲＳが広帯域信号として送信される場合には、ＮＲ−ＰＤＣＣＨを送信するために使用されるＣＣＥは、全てが制御データを伝達し得、これは、いずれも埋め込まれたＤＭＲＳを送信するために使用されないからである。
【００７３】
[0085]  図８は、離散フーリエ変換シングルキャリア周波数領域多重化（ＤＦＴ−Ｓ−ＦＤＭ：discrete Fourier transform single carrier frequency domain multiplexing）波形を使用して送信されるＰＤＣＣＨなどの、ＤＦＴ−Ｓ−ＦＤＭ波形信号を生成するための例となる動作８００を例示する。動作８００は、図４に示されたコントローラ／プロセッサ４４０、送信プロセッサ４２０、および／またはＴＸ  ＭＩＭＯプロセッサ４３０のうちの１つまたは複数によって行われ得る。動作８００は、送信されるデータ（例えば、ＰＤＣＣＨの制御データ）を表すＫ個の時間領域サンプル８０２を取得することによって開始する。Ｋ個の時間領域サンプルは、データソース４１２から、またはコントローラ／プロセッサ４４０から取得され得る。Ｋ個の時間領域サンプルは、８０４において、Ｋ点離散フーリエ変換（ＤＦＴ）通じて処理されて、Ｋ個の周波数領域サンプル８０６を生成する。Ｋ点ＤＦＴは、コントローラ／プロセッサ４４０および／または送信プロセッサ４２０によって行われ得る。Ｋ個の周波数領域サンプル８０６は、Ｎ−Ｋ個のゼロと組み合わされ（例えば、ゼロパディング）、８０８において、Ｎ個のトーンにマッピングされて、Ｎ個の周波数領域サンプル８１０を生成する。Ｎ個のトーンへのマッピングは、送信プロセッサ４２０によって行われ得る。Ｎ個の周波数領域サンプルは、８１２において、Ｎ点逆離散フーリエ変換（ＩＤＦＴ）を通じて処理されて、Ｎ個の時間領域サンプル８１４を生成し得る。ＩＤＦＴは、送信プロセッサ４２０によって行われ得る。長さＮＣＰのサイクリックプレフィックス（ＣＰ）が、Ｎ個の時間領域サンプルの末尾からＮＣＰ個の時間領域サンプルをコピーし、それらのＮＣＰ個の時間領域サンプルをＮ個の時間領域サンプルの先頭に挿入して、Ｎ＋ＮＣＰ個の時間領域サンプル８１８を生成することによって形成され得る。その後、Ｎ＋ＮＣＰ個の時間領域サンプル８１８は、例えば、送信の意図された受信者であるＵＥの探索空間に含まれるＣＣＥを介して、送信され得る。
【００７４】
[0086]  図９は、本開示の態様による、ワイヤレス通信のための例となる動作９００を例示する。動作９００は、例えば、図１に示されたＢＳ１１０などの、ＢＳによって行われ得る。
【００７５】
[0087]  動作９００は、ブロック９０２において、ＢＳが、ユーザ機器（ＵＥ）に物理ダウンリンク制御チャネル（ＰＤＣＣＨ）を送信するために、システム帯域幅の制御領域内で、時間および周波数リソースの第１の制御リソースセット（ｃｏｒｅｓｅｔ）を決定することをから開始する。例えば、ＢＳ１１０は、ＵＥ１２０にＰＤＣＣＨを送信するために、システム帯域幅（例えば、図１１に示されるシステム帯域幅１１０２）の制御領域（例えば、図１１に示される周波数リソース１１０６）内で第１のｃｏｒｅｓｅｔを決定する。
【００７６】
[0088]  ブロック９０４において、動作９００は、ＢＳが、時間および周波数リソースの第１のｃｏｒｅｓｅｔを介して、シングルキャリア波形として、ＵＥにＰＤＣＣＨを送信することを継続する。上記からの例を続けると、ＢＳ１１０は、時間および周波数リソースの第１のｃｏｒｅｓｅｔを介して、シングルキャリア波形（例えば、ＤＦＴ−Ｓ−ＦＤＭＡ波形）として、ＵＥ１２０にＰＤＣＣＨを送信する。
【００７７】
[0089]  図１０は、本開示の態様による、ワイヤレス通信のための例となる動作１０００を例示する。動作１０００は、例えば、図１に示されたＵＥ１２０などの、ＵＥによって行われ得る。動作１０００は、図９に示された動作９００に相補的であり得る。
【００７８】
[0090]  動作１０００は、ブロック１００２において、ＵＥが、基地局（ＢＳ）から物理ダウンリンク制御チャネル（ＰＤＣＣＨ）を受信するために、システム帯域幅の制御領域内で、時間および周波数リソースの第１の制御リソースセット（ｃｏｒｅｓｅｔ）を決定することをから開始する。例えば、ＵＥ１２０は、ＢＳ１１０からＰＤＣＣＨを受信するために、システム帯域幅（例えば、図１１に示されるシステム帯域幅１１０２）の制御領域（例えば、図１１に示される周波数リソース１１０６）内で第１のｃｏｒｅｓｅｔを決定する。
【００７９】
[0091]  ブロック１００４において、動作１０００は、ＵＥが、時間および周波数リソースの第１のｃｏｒｅｓｅｔを介して、シングルキャリア波形としてＰＤＣＣＨを受信することを継続する。上記からの例を続けると、ＵＥ１２０は、時間および周波数リソースの第１のｃｏｒｅｓｅｔを介して、シングルキャリア波形（例えば、ＤＦＴ−Ｓ−ＦＤＭＡ波形）としてＰＤＣＣＨを受信する。
【００８０】
[0092]  本開示の態様によると、シングルキャリア波形を介して制御チャネルを送信する通信システムのための制御リソースセット（ｃｏｒｅｓｅｔ）が、時間および周波数において制限され得、例えば、ｃｏｒｅｓｅｔは、通信システムのシステム帯域幅よりも小さくなり得る。
【００８１】
[0093]  本開示の態様では、ＢＳ（例えば、ノードＢ、ｅノードＢ）が、マスタ情報ブロック（ＭＩＢ）を介して、および／または無線リソース制御（ＲＲＣ）構成を介して、ｃｏｒｅｓｅｔの時間および周波数リソースのインジケーションを送信し得る。
【００８２】
[0094]  本開示の態様によると、ＵＥが、ＵＥにサービス提供しているＢＳによって送信されるマスタ情報ブロック（ＭＩＢ）および／または無線リソース制御（ＲＲＣ）構成から、ｃｏｒｅｓｅｔの時間および周波数リソースのインジケーションを取得し得る。
【００８３】
[0095]  本開示の態様では、ＰＤＣＣＨに関連付けられたＤＭＲＳと、ＰＤＣＣＨのペイロード（例えば、ダウンリンク制御情報（ＤＣＩ））とが、ｃｏｒｅｓｅｔのリソースにおいて多重化され得る。例えば、ＤＭＲＳおよびＰＤＣＣＨは、ＢＳが、ｃｏｒｅｓｅｔの第１のシンボル期間において、ＰＤＣＣＨに関連付けられたＤＭＲＳを、およびｃｏｒｅｓｅｔの第２のシンボル期間において、ＰＤＣＣＨを送信することによって、時分割多重化され得る。
【００８４】
[0096]  本開示の態様によると、ＰＤＣＣＨに関連付けられたＤＭＲＳと、ＰＤＣＣＨのペイロード（例えば、制御データ）とが、シンボル期間において送信されるシンボルを分割することによって、１つのシンボル期間におけるｃｏｒｅｓｅｔのリソースにおいて多重化され得る。例えば、ＤＭＲＳが、ＮＤＭＲＳ個の時間領域サンプルを生成するために使用され得、ＰＤＣＣＨが、ＮＰＤＣＣＨ個の時間領域サンプルを生成するために使用され得る。ＤＭＲＳのＮＤＭＲＳ個の時間領域サンプルおよびＰＤＣＣＨのＮＰＤＣＣＨ個の時間領域サンプルは、図８を参照して上記で説明されたＫ個の時間領域サンプルを作成するために組み合わされ得る（例えば、連結される）。その後、それらのＫ個の時間領域サンプルは、ｃｏｒｅｓｅｔのシンボル期間における送信のためのシンボルを生成するために使用され得る。
【００８５】
[0097]  本開示の態様では、ＤＭＲＳが、ｃｏｒｅｓｅｔの帯域幅にわたって広帯域方式で送信され得る。
【００８６】
[0098]  図１１は、本開示の態様による、例示的な時間周波数リソースマッピング１１００を示す。例示的な時間周波数リソースマッピングは、例示的なスロット１１０４の期間中の例示的なシステム帯域幅１１０２を示す。１１０６において示される、周波数リソースの例示的なセットが、ｃｏｒｅｓｅｔとして定義される。１１０８において示される、時間リソースの例示的なセットがまた、ｃｏｒｅｓｅｔを定義する。ｃｏｒｅｓｅｔ時間リソースは、制御領域と呼ばれることもある（図７も参照）。例示的なｃｏｒｅｓｅｔにおいて、時間リソースは、２つの期間（例えば、２つのシンボル期間）に分割されるとともに、第１の期間１１１０が、ｃｏｒｅｓｅｔのためのＤＭＲＳを送信するために使用され、第２の期間１１１２が、ｃｏｒｅｓｅｔデータ（例えば、ＤＣＩ）を送信するために使用される。
【００８７】
[0099]  本開示の態様によると、ＰＤＣＣＨのデータ部分（例えば、図１１に示される、ｃｏｒｅｓｅｔデータ領域１１１２において送信されるデータ）が、複数のＤＣＩを伝達し得る。複数のＤＣＩは、１つのＵＥを対象とし得、例えば、ダウンリンクグラントとアップリンクグラントの両方を伝達する。追加または代替として、複数のＤＣＩは、複数のＵＥを対象とし得、例えば、複数のＤＣＩは、第１のＵＥへのダウンリンクグラントとアップリンクグラントの両方と、第２のＵＥへの２つのダウンリンクグラントと、第３のＵＥへのアップリンクグラントとを伝達し得る。
【００８８】
[0100]  本開示の態様では、１つまたは複数の探索空間（ＳＳ）が、各ＵＥのために定義され得るとともに、いくつかの時間および周波数リソースが、異なる探索空間の間で共有される。複数のＵＥには、共通探索空間（ＣＳＳ）が定義され得、これにより、複数のＵＥの各々は、復号すべき制御チャネル（例えば、ＮＲ−ＰＤＣＣＨ）を求めて共通探索空間をサーチする。各ＵＥにはまた、１つまたは複数のＵＥ固有の探索空間（ＵＥＳＳ）が定義され得、ここで、ＵＥの各々は、そのＵＥのために定義された（１つまたは複数の）ＵＥ固有の探索空間をサーチする。
【００８９】
[0101]  本開示の態様によると、探索空間が、複数の復号候補を備え得、ここで、各復号候補は、ＵＥのための制御チャネルとして復号され得る時間および周波数リソースのセットを備える。探索空間および／または探索空間内の復号候補が、その探索空間が定義されるＵＥの識別子（例えば、ＵＥ  ＩＤ）のハッシング関数に基づいて決定され得る。
【００９０】
[0102]  本開示の態様において、前述されたように、ＯＦＤＭＡを使用して送信されるＮＲ−ＰＤＣＣＨは、周波数リソースにわたって分散される方法で送信されるか、または周波数において局所化される方法で送信され得る。
【００９１】
[0103]  本開示の態様によると、シングルキャリア波形を使用して送信されるＮＲ−ＰＤＣＣＨは、時間領域において分散される（例えば、時間リソースにわたって分散される）方法で送信されるか、または時間領域において（例えば、連続した時間リソースのセットにおいて）局所化される方法で送信され得る。
【００９２】
[0104]  本開示の態様では、ＮＲ通信システム（例えば、ＮＲ通信システムの基地局）が、時間領域において局所化される方法で、シングルキャリア波形を使用してＮＲ−ＰＤＣＣＨを送信し得、これは、ＮＲ−ＰＤＣＣＨの短い持続時間が、送信中のチャネルダイバーシティがあまり存在しない可能性があることを意味し、従って、時間領域において分散モードで送信することにほとんど利点がない可能性があるからである。
【００９３】
[0105]  本開示の態様によると、ＯＦＤＭＡを使用してＮＲ−ＰＤＣＣＨを送信するＮＲ通信システムにおいて、ＣＣＥは、複数のＲＥＧを備え得る。
【００９４】
[0106]  本開示の態様、シングルキャリア波形（例えば、ＤＦＴ−Ｓ−ＦＤＭ）を使用してＮＲ−ＰＤＣＣＨを送信するＮＲ通信システムでは、ＣＣＥが単一のＲＥＧを備え得る。換言すれば、シングルキャリア波形を使用してＮＲ−ＰＤＣＣＨを送信するＮＲ通信システムにおいて、ＣＣＥおよびＲＥＧは同義語であり得る。
【００９５】
[0107]  本開示の態様によると、シングルキャリア波形が、ｃｏｒｅｓｅｔによってカバーされるサブバンドにおいて既に完全な周波数ダイバーシティ（full frequency diversity）を達成しているので、複数のＲＥＧを備えるものとしてＣＣＥを定義することにはほとんど利点がない可能性があり、ＣＣＥは、１つのＲＥＧとして定義され得る。代替として、ＣＣＥは、シングルキャリア波形を使用して送信するシステムにおいて複数のＲＥＧを備え得るが、ＣＣＥにおけるＲＥＧは、連続したＲＥＧであり得る。
【００９６】
[0108]  本開示の態様において、ＵＥのためのＰＤＣＣＨ復号候補は、異なるアグリゲーションレベルのために異なる数のＣＣＥを備え得る。例えば、ＵＥのためのアグリゲーションレベル１のＰＤＣＣＨ復号候補は、１つの制御チャネルエレメントを含み得、アグリゲーションレベル２のＰＤＣＣＨ復号候補は、２つのＣＣＥを含み得る。
【００９７】
[0109]  図１２は、本開示の態様による、シングルキャリア波形を使用してＮＲ−ＰＤＣＣＨを送信するシステムにおける、アグリゲーションレベルおよび復号候補に対するＣＣＥの例示的なマッピング１２００を例示する。制御リソースのグループ（例えば、ＣＣＥのシーケンス）が、１２１０において示される。各制御リソースは、例えば、時間領域において信号の１００個のサンプルを表し得る。１つのアグリゲーションレベル（ＡＬ）８（ＡＬ８）の復号候補を表す、８つのＣＣＥのグループが、１２２０において示される。２つのＡＬ４（ＡＬ４）の復号候補を表す、それぞれ４つのＣＣＥの２つのグループが、１２３０において示される。４つのＡＬ２（ＡＬ２）の復号候補を表す、それぞれ２つのＣＣＥの４つのグループが、１２４０において示される。４つのＡＬ１（ＡＬ１）の復号候補を表す、それぞれ１つのＣＣＥの４つのグループが、１２５０において示される。上述されたように、各復号候補は、時間領域にわたって局所化される方法で送信されることに留意されたい。時間領域局所化設計は、電力増幅器が、連続した時間期間の間、電源オンにされたままであり、かつある特定の利得ステージにおいて安定した状態を保ち得るので、送信機の電力増幅器の電力消費を低減させ得る。
【００９８】
[0110]  本開示の態様によると、シングルキャリア波形を使用してＮＲ−ＰＤＣＣＨを送信するＮＲシステムが、ネストされた探索空間の概念を利用し得、ここで、所与のアグリゲーションレベルのための復号候補は、図１２に例示されるように、１つ上のアグリゲーションレベルの候補（next higher aggregation level candidate）と同じＣＣＥのセットにマッピングされる。ネストされた探索空間の概念は、異なる復号候補の時間領域サンプルの復調動作が再利用され得るので、受信機の計算複雑さを低減させ得る。
【００９９】
[0111]  本開示の態様では、異なるＵＥによる使用のために探索空間が定義され得る。ＵＥの識別子のハッシング関数が、探索空間におけるどのＣＣＥがＵＥの各々についての有効な復号候補であるかを決定するために使用され得る。ハッシング関数は、非シングルキャリア（例えば、ＯＦＤＭＡ）波形を使用してＰＤＣＣＨを送信するシステムと同様に、時間および周波数領域にわたってではなく、時間領域わたってＣＣＥを互いに分割する。
【０１００】
[0112]  本開示の態様によると、ハッシング関数が、１つより多くのＵＥのための復号候補に含まれるＣＣＥの数を低減させる方法で、ｃｏｒｅｓｅｔにわたって、異なるＵＥのための復号候補を分散させ得る。このような方法で復号候補を分散させることは、あるアグリゲーションレベルでのＵＥへのＰＤＣＣＨがスケジュールされることができない可能性を低減させ得、これは、そのアグリゲーションレベルの各復号候補の少なくとも１つのＣＣＥが、他のＵＥへのＰＤＣＣＨのために使用されるからである。あるアグリゲーションレベルでのＵＥへのＰＤＣＣＨが、そのアグリゲーションレベルの各復号候補の少なくとも１つのＣＣＥが他のＵＥへのＰＤＣＣＨのために使用されるので、スケジュールされることができない状態は、「ブロッキング」と呼ばれ得る。
【０１０１】
[0113]  本明細書で開示された方法は、説明された方法を達成するための１つまたは複数のステップまたはアクションを備える。方法のステップおよび／またはアクションは、特許請求の範囲から逸脱することなく互いに置き換えられ得る。換言すれば、ステップまたはアクションの特定の順序が明記されない限り、特定のステップおよび／またはアクションの順序および／または使用は、特許請求の範囲から逸脱することなく修正され得る。
【０１０２】
[0114]  本明細書で使用される場合、アイテムのリスト「のうちの少なくとも１つ」を指す表現は、単一のメンバ（members）を含む、それらのアイテムの任意の組合せを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃ、並びに複数の同じ要素を有する任意の組合せ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃのその他任意の順序）をカバーするように意図される。
【０１０３】
[0115]  本明細書で使用される場合、「決定すること」という用語は、幅広いアクションを包含する。例えば、「決定すること」は、計算すること（calculating）、コンピューティングすること（computing）、処理すること、導出すること、調査すること、ルックアップすること（例えば、表、データベース、または別のデータ構造においてルックアップすること）、確定すること、および同様のことを含み得る。また、「決定すること」は、受信すること（例えば、情報を受信すること）、アクセスすること（例えば、メモリにおけるデータにアクセスすること）、および同様のことを含み得る。また、「決定すること」は、解決すること、選択すること、選ぶこと、確立すること、および同様のことを含み得る。
【０１０４】
[0116]  先の説明は、いかなる当業者であっても、本明細書で説明された様々な態様を実施することを可能にするように提供された。これらの態様への様々な修正は、当業者には容易に明らかとなり、本明細書で定義された一般原理は、他の態様に適用され得る。従って、特許請求の範囲は、本明細書に示された態様に限定されるようには意図されず、特許請求の範囲の文言と一致する全範囲が与えられるものとし、ここで、単数形の要素への参照は、そのように明記されていない限り、「１つおよび１つのみ」を意味するようには意図されず、「１つまたは複数」を意味するように意図される。別段に明記されていない限り、「いくつかの（some）」という用語は、１つまたは複数を指す。当業者に知られているか、または後に知られることとなる、本開示全体を通して説明された様々な態様の要素に対する全ての構造的および機能的な均等物は、参照によって本明細書に明確に組み込まれ、特許請求の範囲によって包含されるように意図される。さらに、本明細書で開示されたものはいずれも、そのような開示が特許請求の範囲において明記されているかどうかにかかわらず、公衆に放棄されるようには意図されない。いずれの請求項の要素も、その要素が「〜のための手段（means for）」という表現を使用して明確に記載されていない限り、または、方法の請求項のケースでは、その要素が「〜のためのステップ（step for）」という表現を使用して記載されていない限り、米国特許法第１１２条第６パラグラフの規定のもとで解釈されるべきではない。
【０１０５】
[0117]  上記で説明された方法の様々な動作は、対応する機能を行うことが可能な任意の好適な手段によって行われ得る。手段は、それに限定されるものではないが、回路、特定用途向け集積回路（ＡＳＩＣ）、またはプロセッサを含む、様々なハードウェアおよび／またはソフトウェアの（１つまたは複数の）構成要素および／または（１つまたは複数の）モジュールを含み得る。一般に、図中に例示された動作がある場合、これらの動作は、同様の番号付けを有する、対応する該当機能手段要素(means-plus-function components)を有し得る。
【０１０６】
[0118]  例えば、送信するための手段、処理するための手段、および／または受信するための手段は、基地局１１０の送信プロセッサ４２０、ＴＸ  ＭＩＭＯプロセッサ４３０、受信プロセッサ４３８、または（１つまたは複数の）アンテナ４３４、および／または、ユーザ機器１２０の送信プロセッサ４６４、ＴＸ  ＭＩＭＯプロセッサ４６６、受信プロセッサ４５８、または（１つまたは複数の）アンテナ４５２のうちの１つまたは複数を備え得る。加えて、生成するための手段、多重化するための手段、決定するための手段、処理するための手段、および／または適用するための手段は、基地局１１０のコントローラ／プロセッサ４４０および／またはユーザ機器１２０のコントローラ／プロセッサ４８０などの、１つまたは複数のプロセッサを備え得る。
【０１０７】
[0119]  本開示に関連して説明された、様々な例示的な論理ブロック、モジュールおよび回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタロジック、個別ハードウェア構成要素、あるいは本明細書で説明された機能を行うように設計されたこれらの任意の組合せを用いて実施または行われ得る。汎用プロセッサは、マイクロプロセッサであり得るが、代替として、このプロセッサは、任意の市販のプロセッサ、コントローラ、マイクロコントローラまたはステートマシンであり得る。プロセッサはまた、コンピューティングデバイスの組合せ、例えば、ＤＳＰとマイクロプロセッサの組合せ、複数のマイクロプロセッサ、ＤＳＰコアと連携した１つまたは複数のマイクロプロセッサ、あるいはその他任意のこのような構成として実施され得る。
【０１０８】
[0120]  ハードウェアで実施される場合、例となるハードウェア構成は、ワイヤレスノードにおける処理システムを備え得る。処理システムは、バスアーキテクチャを用いて実施され得る。バスは、処理システムの特定のアプリケーションおよび全体的な設計制約に依存して、任意の数の相互接続バスおよびブリッジを含み得る。バスは、プロセッサ、機械可読媒体、およびバスインターフェースを含む様々な回路を共にリンクし得る。バスインターフェースは、特に、バスを介してネットワークアダプタを処理システムに接続するために使用され得る。ネットワークアダプタは、ＰＨＹレイヤの信号処理機能を実施するために使用され得る。ユーザ端末１２０（図１を参照）のケースでは、ユーザインターフェース（例えば、キーパッド、ディスプレイ、マウス、ジョイスティック、等）がまた、バスに接続され得る。バスはまた、タイミングソース、周辺機器、電圧レギュレータ、電力管理回路、および同様のもののような、様々な他の回路をリンクし得、これらは、当該技術分野において周知であり、従って、これ以上は説明されない。プロセッサは、１つまたは複数の汎用および／または専用プロセッサを用いて実施され得る。例は、マイクロプロセッサ、マイクロコントローラ、ＤＳＰプロセッサ、およびソフトウェアを実行し得るその他の回路を含む。当業者であれば、特定のアプリケーションおよびシステム全体に課せられる全体的な設計制約に依存して、処理システムに関して説明された機能を実施するのに最良の方法を認識するであろう。
【０１０９】
[0121]  ソフトウェアで実施される場合、これら機能は、コンピュータ可読媒体上で、１つまたは複数の命令またはコードとして送信または記憶され得る。ソフトウェアは、ソフトウェア、ファームウェア、ミドルウェア、マイクロコード、ハードウェア記述言語、またはその他の方法で呼ばれるかにかかわらず、命令、データ、またはこれらの任意の組合せを意味するように広く解釈されるべきである。コンピュータ可読媒体は、１つの場所から別の場所へのコンピュータプログラムの転送を容易にする任意の媒体を含む通信媒体とコンピュータ記憶媒体との両方を含む。プロセッサは、バスの管理と、機械可読記憶媒体上に記憶されたソフトウェアモジュールの実行を含む汎用処理とを担い得る。コンピュータ可読記憶媒体は、プロセッサが記憶媒体から情報を読み取り、記憶媒体に情報を書き込むことができるように、プロセッサに結合され得る。代替として、記憶媒体は、プロセッサと一体化され得る。例として、機械可読媒体は、伝送路（transmission line）、データによって変調された搬送波、および／またはワイヤレスノードとは別個の命令が記憶されたコンピュータ可読記憶媒体を含み得、これら全ては、バスインターフェースを通じてプロセッサによってアクセスされ得る。代替または追加として、機械可読媒体、またはその任意の部分は、キャッシュおよび／または汎用レジスタファイルでのケースでそうであり得るように、プロセッサに一体化され得る。機械可読記憶媒体の例は、例として、ＲＡＭ（ランダムアクセスメモリ）、フラッシュメモリ、ＲＯＭ（読取専用メモリ）、ＰＲＯＭ（プログラマブル読取専用メモリ）、ＥＰＲＯＭ（消去可能なプログラマブル読取専用メモリ）、ＥＥＰＲＯＭ（登録商標）（電気的に消去可能なプログラマブル読取専用メモリ）、レジスタ、磁気ディスク、光ディスク、ハードドライブ、またはその他任意の好適な記憶媒体、あるいはこれらの任意の組合せを含み得る。機械可読媒体は、コンピュータプログラム製品において具現化され得る。
【０１１０】
[0122]  ソフトウェアモジュールは、単一の命令、または多くの命令を備え得、いくつかの異なるコードセグメントにわたって、異なるプログラム間で、および複数の記憶媒体にわたって、分散され得る。コンピュータ可読媒体は、いくつかのソフトウェアモジュールを備え得る。ソフトウェアモジュールは、プロセッサなどの装置によって実行されると、処理システムに様々な機能を行わせる命令を含む。ソフトウェアモジュールは、送信モジュールと受信モジュールとを含み得る。各ソフトウェアモジュールは、単一の記憶デバイス内に存在し得るか、または複数の記憶デバイスにわたって分散され得る。例として、ソフトウェアモジュールは、トリガリングイベントが発生したときに、ハードドライブからＲＡＭにロードされ得る。ソフトウェアモジュールの実行中、プロセッサは、アクセス速度を増大させるために、命令のうちのいくつかをキャッシュにロードし得る。その後、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行するとき、プロセッサによって実施されることが理解されよう。
【０１１１】
[0123]  また、任意の接続が、厳密にはコンピュータ可読媒体と称される。例えば、ソフトウェアが、同軸ケーブル、光ファイバーケーブル、ツイストペア、デジタル加入者回線（ＤＳＬ）、または赤外線（ＩＲ）、無線、およびマイクロ波のようなワイヤレス技術を使用して、ウェブサイト、サーバ、または他の遠隔ソースから送信される場合には、同軸ケーブル、光ファイバーケーブル、ツイストペア、ＤＳＬ、または赤外線、無線、およびマイクロ波のようなワイヤレス技術は、媒体の定義に含まれる。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスク、およびブルーレイ（登録商標）ディスクを含み、ここでディスク（disks）は、通常磁気的にデータを再生し、一方ディスク（discs）は、レーザーを用いて光学的にデータを再生する。従って、いくつかの態様において、コンピュータ可読媒体は、非一時的なコンピュータ可読媒体（例えば、有形媒体）を備え得る。加えて、他の態様において、コンピュータ可読媒体は、一時的なコンピュータ可読媒体（例えば、信号）を備え得る。上記の組合せもまた、コンピュータ可読媒体の範囲内に含まれるべきである。
【０１１２】
[0124]  従って、ある特定の態様は、本明細書で提示された動作を行うためのコンピュータプログラム製品を備え得る。例えば、このようなコンピュータプログラム製品は、その上に命令が記憶された（および／または符号化された）コンピュータ可読媒体を備え得、命令は、本明細書で説明された動作を行うために１つまたは複数のプロセッサによって実行可能である。例えば、命令は、本明細書で説明されおよび図９および図１０に例示された動作を行うためのものである。
【０１１３】
[0125]  さらに、本明細書で説明された方法および技法を行うためのモジュールおよび／または他の好適な手段は、適宜、ユーザ端末および／または基地局によって、ダウンロードおよび／または別の方法で取得され得ることを理解されたい。例えば、このようなデバイスは、本明細書で説明された方法を行うための手段の転送を容易にするためにサーバに結合され得る。代替として、本明細書で説明された様々な方法は、ユーザ端末および／または基地局が、デバイスに記憶手段を結合または提供する際に、様々な方法を取得し得るように、記憶手段（例えば、ＲＡＭ、ＲＯＭ、コンパクトディスク（ＣＤ）またはフロッピーディスクなどの物理記憶媒体、等）を介して提供され得る。さらに、本明細書で説明された方法および技法をデバイスに提供するためのその他任意の好適な技法が利用され得る。
【０１１４】
[0126]  特許請求の範囲は、上記に例示された厳密な構成および構成要素に限定されないことを理解されたい。様々な修正、変更、および変形が、特許請求の範囲から逸脱することなく、上記で説明された方法および装置の配置、動作および詳細において行われ得る。
【図１】
2020516159.tif 000003
【図２】
2020516159.tif 000004
【図３】
2020516159.tif 000005
【図４】
2020516159.tif 000006
【図５】
2020516159.tif 000007
【図６】
2020516159.tif 000008
【図７】
2020516159.tif 000009
【図８】
2020516159.tif 000010
【図９】
2020516159.tif 000011
【図１０】
2020516159.tif 000012
【図１１】
2020516159.tif 000013
【図１２】
2020516159.tif 000014
【国際調査報告】
2020516159.tif 000015
2020516159.tif 000016